(57)【要約】【課題】省スペース化と施工性の向上を図るとともに、浴室を空調した空調空気の漏洩を低減し、除湿運転により熱効率を向上する。【解決手段】居住空間Ａに開口した吸込口１８から空気を吸い込んで前記居住空間Ａに開口した吹出口１９から空気を吹出す循環ファン２３と、前記吸込口１８と前記居住空間Ａとは別の居住空間Ｂに開口した吸込口から空気を吸い込んで屋外または前記居住空間Ａに吹出す換気ファン１３と、前記循環ファン２３により送風される空気と冷媒を熱交換する第一熱交換器３４と、前記換気ファン１３の送風する空気と冷媒を熱交換する第二熱交換器３６と、前記第一熱交換器３４、前記第二熱交換器３６の順に冷媒を循環させる冷媒回路３２を備え、前記第二熱交換器３６で熱交換した空気を屋外と前記居住空間Ａのどちらか一方に送風通路を切り換える通路切換機構３０を備える。【選択図】図２
2008145094.tif 000002
【特許請求の範囲】
【請求項１】
居住空間Ａに開口した吸込口から空気を吸い込んで前記居住空間Ａに開口した吹出口から空気を吹き出す循環ファンと、前記居住空間Ａに開口した吸込口と前記居住空間Ａとは別の居住空間Ｂに開口した吸込口から空気を吸い込んで屋外または前記居住空間Ａに吹き出す換気ファンと、冷媒を圧縮する圧縮機と、前記循環ファンにより送風される空気と冷媒を熱交換させる第一熱交換器と、冷媒を膨張させる膨張機構と、前記換気ファンにより送風される空気と冷媒を熱交換させる第二熱交換器と、前記圧縮機、前記第一熱交換器、前記膨張機構、前記第二熱交換器の順に冷媒が循環するように配管した冷媒回路とを備え、前記第二熱交換器で熱交換した空気を屋外と前記居住空間Ａのどちらか一方に吹き出すよう切り換える通路切換機構を備えることを特徴とする、換気空調装置。
【請求項２】
通路切換機構は、第二熱交換器で熱交換した空気を屋外と第一熱交換器の風路の上流側のどちらか一方に吹き出し、前記第一熱交換器において、居住空間Ａから吸い込まれた空気だけに冷媒が放熱する、または前記居住空間Ａから吸い込まれた空気と前記第二熱交換器で熱交換した空気と合流した空気に冷媒が放熱することを特徴とする、請求項１記載の換気空調装置。
【請求項３】
第二熱交換器で熱交換した空気を屋外と居住空間Ａまたは、第一熱交換器の風路の上流側に吹き出す風量を各々調整する通路切換機構を備え、前記第二熱交換器で熱交換された空気の一部を前記居住空間Ａを冷却することに用い、一部を屋外に排気することを特徴とする、請求項１または２記載の換気空調装置。
【請求項４】
居住空間Ａと居住空間Ｂの空気を第二熱交換器をバイパスさせる開閉装置を備え、換気運転時に、直接屋外へ排出することを特徴とする、請求項１、２または３記載の換気空調装置。
【請求項５】
居住空間Ａの吸込口と換気ファンまたは、第二熱交換器との間に開閉装置を備え、暖房運転時や入浴中に、前記開閉装置を閉じることを特徴とする、請求項１、２、３または４記載の換気空調装置。
【請求項６】
居住空間Ｂの換気運転信号により、前記居住空間Ｂの空気を全て屋外へ排出するよう通路切換機構を動作させることを特徴とする、請求項１、２、３、４または５記載の換気空調装置。
【請求項７】
居住空間Ｂの吸込口と換気ファンまたは、第二熱交換器との間に開閉装置を備え、暖房運転時や居住空間Ａ以外の換気運転時に居住空間Ａと隣接した居住空間Ｂの前記開閉装置を閉じることを特徴とする、請求項１、２、３、４、５または６記載の換気空調装置。
【請求項８】
居住空間Ａの吸込口と換気ファンまたは、第二熱交換器との間に開閉装置を備え、居住空間Ａと隣接した居住空間Ｂにおいて、前記開閉装置を閉じて、居住空間Ｂの換気を行うことにより、前記居住空間Ａを空調した空気が前記居住空間Ｂに流入することを特徴とする、請求項１、２、３、４、５、６、または７記載の換気空調装置。
【請求項９】
居住空間Ａに開口した吸込口から空気を吸い込んで、前記居住空間Ａに開口した吹出口から、第一熱交換器を通る冷媒と熱交換した空気を吹き出す循環ファンと第二熱交換器を通る冷媒と熱交換した空気を吹き出す除湿ファンを設け、前記循環ファンと前記除湿ファンの運転組み合わせにより、居住空間Ａを空調することを特徴とする、請求項１、２、３、４、５、６、７、または８記載の換気空調装置。
【請求項１０】
第二熱交換器で熱交換した空気を屋外と居住空間Ｂに吹き出す風量を各々調整する通路切換機構を備え、前記第二熱交換器で熱交換された空気の一部を前記居住空間Ｂを冷却することに用い、一部を屋外に排気することを特徴とする、請求項１、２、３、４、５、６、７、８、または９記載の換気空調装置。
【請求項１１】
居住空間Ａ開口した吸込口から空気を吸い込んで、前記居住空間Ａに開口した吹出口から、第一熱交換器を通る冷媒と熱交換した空気を吹き出す循環ファンと前記居住空間Ａと居住空間Ｂに開口した吸込口から空気を吸い込んで、前記居住空間Ａに開口した吹出口または前記居住空間Ｂに連通した冷暖ダクトから、第二熱交換器を通る冷媒と熱交換した空気を吹き出す除湿ファンを設け、前記除湿ファンは前記第一熱交換器を通る風路と連通させ、前記循環ファンと前記除湿ファンの運転組み合わせにより、居住空間Ａと居住空間Ｂを空調することを特徴とする、請求項１、２、３、４、５、６、７、８、９または１０記載の換気空調装置。
【請求項１２】
第一熱交換器または第二熱交換器で熱交換した空気を居住空間Ａと居住空間Ｂに吹き出す風量を各々調整する通路切換機構を備え、前記第一熱交換器または第二熱交換器で熱交換された空気を前記居住空間Ａまたはを居住空間Ｂに分配することを特徴とする、請求項１、２、３、４、５、６、７、８、９、１０または１１記載の換気空調装置。
【請求項１３】
居住空間Ａに開口した吸込口から空気を吸い込んで、前記居住空間Ａに開口した吹出口から、第一熱交換器を通る冷媒と熱交換した空気を吹き出す循環ファンと居住空間Ｂに連通した冷暖ダクトに吹出す冷暖ファンを設け、前記居住空間Ａと居住空間Ｂに開口した吸込口から空気を吸い込んで、前記居住空間Ａに開口した吹出口から、第二熱交換器を通る冷媒と熱交換した空気を吹き出す除湿ファンと屋外または前記居住空間Ｂに連通した冷暖ダクトに吹出す換気ファンを設け、前記循環ファンと前記冷暖ファンと前記除湿ファンと前記換気ファンの運転組み合わせにより、居住空間Ａと居住空間Ｂを空調することを特徴とする、請求項１、２、３、４、５、６、７、または８記載の換気空調装置。
【請求項１４】
冷媒の流れ方向を圧縮機、第二熱交換器、膨張機構、第一熱交換器の順番に切替える流路切換弁を更に備え、前記第二熱交換器において前記換気ファンにより屋外に排出する空気に対して冷媒が放熱し、前記第一熱交換器において前記循環ファンにより居住空間Ａ内を循環する空気から冷媒が吸熱することによって前記居住空間Ａを冷房することを特徴とする、請求項１、２、３、４、５、６、７、８、９，１０、１１、１２、または１３記載の換気空調装置。
【請求項１５】
第一熱交換器の冷媒が流れる配管中に冷媒を減圧する減圧手段を更に備え、前記減圧手段の下流側の冷媒が循環ファンにより送風される空気から吸熱した後、前記減圧手段の上流側の冷媒が放熱することによって居住空間Ａを除湿することを特徴とする、請求項１、２、３、４、５、６、７、８、９、１０、１１、１２、１３、または１４記載の換気空調装置。
【請求項１６】
居住空間Ａを暖房、冷房、除湿、乾燥して空調を行う場合は、換気ファンのみを運転して吸込口が開口した室内空間を換気する場合に対し、前記換気ファンの風量を増加させることを特徴とする、請求項１、２、３、４、５、６、７、８、９、１０、１１、１２、１３、１４または１５記載の換気空調装置。
【請求項１７】
吸込口に吸込まれる空気を居住空間Ａ以外に設置された空調機によって空調された空調空気としたことを特徴とする、請求項１、２、３、４、５、６、７、８、９、１０、１１、１２、１３、１４、１５または１６記載の換気空調装置。
【請求項１８】
居住空間Ａを乾燥する場合に換気通路を通って屋外に排出される前記居住空間Ａの空気からも第二熱交換器において冷媒が吸熱することを特徴とする、請求項１、２、３、４、５、６、７、８、９、１０、１１、１２、１３、１４、１５、１６または１７記載の換気空調装置。
【請求項１９】
換気通路を吸込口を介して居住空間Ａ内と連通させたことを特徴とする、請求項１、２、３、４、５、６、７、８、９、１０、１１、１２、１３、１４、１５、１６、１７、または１８記載の換気空調装置。
【請求項２０】
循環ファンが送風する空気の少なくとも一部を加熱する補助ヒーターを更に備えたことを特徴とする、請求項１、２、３、４、５、６、７、８、９、１０、１１、１２、１３、１４、１５、１６、１７、１８または１９記載の換気空調装置。
【請求項２１】
補助ヒーターを浴室内に輻射熱を放散する輻射式のヒーターとしたことを特徴とする、請求項１、２、３、４、５、６、７、８、９、１０、１１、１２、１３、１４、１５、１６、１７、１８、１９または２０記載の換気空調装置。
【請求項２２】
換気ファンによって第二熱交換器に供給される前の空気を予熱するための予熱ヒーターを更に備えたことを特徴とする、請求項１、２、３、４、５、６、７、８、９、１０、１１、１２、１３、１４、１５、１６、１７、１８、１９、２０または２１記載の換気空調装置。
【請求項２３】
第一熱交換器もしくは第二熱交換器の冷媒温度に基づいて流路切換弁を切り換えることを特徴とする、請求項１、２、３、４、５、６、７、８、９、１０、１１、１２、１３、１４、１５、１６、１７、１８、１９、２０、２１または２２記載の換気空調装置。
【請求項２４】
圧縮機の吐出側から膨張機構に至る冷媒回路から分岐して、前記膨張機構から前記圧縮機の吸入側に至る冷媒回路に合流するバイパス回路と、前記バイパス回路を開閉する開閉弁を更に備えたことを特徴とする、請求項１、２、３、４、５、６、７、８、９、１０、１１、１２、１３、１４、１５、１６、１７、１８、１９、２０、２１、２２または２３記載の換気空調装置。
【請求項２５】
第二熱交換器と直列もしくは並列となるように冷媒回路中に冷媒を加熱する冷媒加熱手段を介在させたことを特徴とする、請求項１、２、３、４、５、６、７、８、９、１０、１１、１２、１３、１４、１５、１６、１７、１８、１９、２０、２１、２２、２３または２４記載の換気空調装置。
【請求項２６】
冷媒加熱手段を、電熱により冷媒を加熱する冷媒加熱ヒーターとしたことを特徴とする、請求項２５記載の換気空調装置。
【請求項２７】
冷媒加熱手段を、給湯水との熱交換により冷媒を加熱する冷媒−水熱交換器としたことを特徴とする、請求項２５記載の換気空調装置。
【請求項２８】
冷媒−水熱交換器に供給される給湯水に、ヒートポンプ式給湯機で沸かされた湯を用いることを特徴とする、請求項２７記載の換気空調装置。
【請求項２９】
冷媒−水熱交換器で冷媒との熱交換をした後の給湯水を、第一熱交換器或いは第二熱交換器に生じた結露水を排水する排水経路を通じて装置外部に排水する構成としたことを特徴とする、請求項２７または２８記載の換気空調装置。
【請求項３０】
冷媒−水熱交換器において冷媒が放熱するように、前記冷媒−水熱交換器に常温水を供給する構成としたことを特徴とする、請求項２７、２８または２９記載の換気空調装置。
【請求項３１】
冷媒−水熱交換器で冷媒との熱交換をした後の給湯水と第一熱交換器或いは第二熱交換器に生じた結露水を排水する排水経路内にドレンポンプを備え、装置外部に排水する構成としたことを特徴とする、請求項２９または３０記載の換気空調装置。
【請求項３２】
圧縮機を駆動周波数可変とし、除湿運転時は暖房運転時より駆動周波数を同等以下としたことを特徴とする、請求項１、２、３、４、５、６、７、８、９、１０、１１、１２、１３、１４、１５、１６、１７、１８、１９、２０、２１、２２、２３、２４、２５、２６、２７、２８、２９、３０または３１記載の換気空調装置。
【請求項３３】
膨張機構を電子制御膨張弁とし、運転モード、圧縮機の駆動周波数、室内温度、循環ファンの回転数、換気ファンの回転数に対応して制御することを特徴とする、請求項３２記載の換気空調装置。
【請求項３４】
排気ダクトまたは排気ダクトのいずれか、もしくは両方を非居住空間である床下空間や天井裏空間に連通させることにより、床下空間や天井裏空間から空気を吸い込んで屋外に排気することを特徴とする、請求項３３記載の換気空調装置。
【請求項３５】
冷暖ダクトを床下空間に連通させることにより、除湿された空気を床下空間に供給することを特徴とする、請求項３４記載の換気空調装置。
【請求項３６】
冷暖ダクトを天井裏空間に連通させることにより、除湿された空気を天井裏空間に供給することを特徴とする、請求項３４記載の換気空調装置。
【請求項３７】
冷暖ダクトから床下空間と天井裏空間に吹き出す風量を調整する通路切換機構を備え、除湿された空気の一部を床下空間に供給し、一部を天井裏空間に供給することを特徴とする、請求項３５、３６記載の換気空調装置。
【請求項３８】
本体から床下空間へ引き回す冷暖ダクトや排気ダクトを住居の内壁とユニットバスの外壁の間を通し、浴室近傍の床下空間へ接続することを特徴とする、請求項３７記載の換気空調装置。
【請求項３９】
本体と排気ダクトとの接続部に配設した温湿度検知手段により、排気ダクトが接続された空間、例えば床下空間や天井裏空間の温湿度条件を検知し、検知した温湿度に対応して圧縮機の駆動周波数、膨張機構、循環ファンの回転数、換気ファンの回転数を制御することを特徴とする、請求項３８記載の換気空調装置。
【発明の詳細な説明】
【技術分野】
【０００１】
本発明は、ヒートポンプを利用して浴室などの居住空間の換気空調を行う換気空調装置に関する。
【背景技術】
【０００２】
従来のヒートポンプを利用した浴室など居住空間の換気空調装置としては、浴室以外から取り入れられた空気に対してヒートポンプの一方の熱交換器が放熱（または吸熱）を行い、その空気を浴室内に吹き出すとともに、ヒートポンプの他方の熱交換器が浴室から屋外に排出される空気に対して吸熱（または放熱）することで浴室を空調するものがある。（例えば、特許文献１参照）。
【０００３】
また、ヒートポンプを室外機と室内機に分離し、室外機に設けた熱交換器において外気から吸熱（または放熱）を行い、室内機に設けた熱交換器において浴室の空気に放熱（または吸熱）することで浴室を空調するものもある（例えば、特許文献２参照）。
【特許文献１】特開２００５−１８０７１２号公報
【特許文献２】特開２００２−３４９９３０号公報
【発明の開示】
【発明が解決しようとする課題】
【０００４】
以上のようにヒートポンプを利用した浴室などの換気空調装置は、様々な形態のものが提案されている。特許文献１に例示される浴室空調装置は、浴室から屋外に排出される空気から熱を回収して浴室を空調するものだが、熱交換器において排出空気の全ての熱量を回収することは不可能であるため、浴室を空調した熱（冷熱）の一部が屋外に漏洩することにより熱損失が生じ、熱効率が悪いという課題があった。
【０００５】
また、基本的には暖房や冷房や換気運転だけが可能のため、入浴後の浴室の乾燥や衣類乾燥をすると浴室の温度が不快になり、また湿度だけを下げることができないので、エネルギーが結果的に多く消費してしまうという課題があった。
【０００６】
また、浴室の中で給気される空気と排気される空気の移動によるドラフト感があり、入浴暖房時に肌寒く感じるという課題があった。
【０００７】
また、浴室以外の居室の空調は同時にできないという課題があった。
【０００８】
また、浴室の温湿度をきめ細かく使用目的に応じて制御できないという課題があった。
【０００９】
また、特許文献２に例示される浴室空調装置は、浴室を空調した熱の漏洩は少ないが、ヒートポンプを浴室内と屋外に分離して設置しているため、室内外を接続するための冷媒配管工事が必要で施工性が悪くなり、また室外機の設置スペースも必要になるという課題があった。
【００１０】
また、近年の気密性、断熱性の高い住宅において、居住空間についてはエアコン等による空調が行なわれているが、床下空間や天井裏空間等の非居住空間については換気や除湿を含む空調が行なわれていないことが多く、空間の温湿度差により結露が発生したり、コンクリートから出る湿気による結露が発生したり、浴室や洗面所等の水使用設備近傍で発生する湿気の滞留が発生したり、建材などから発生する揮発性有機化合物（ＶＯＣ）の滞留が発生するという課題があった。
【００１１】
本発明は上記従来の課題を解決するものであり、省スペース化と施工性の向上を図ることができ、また、浴室などを空調した空気の漏洩も少なく熱効率を向上することができ、また、浴室乾燥や衣類乾燥運転の消費エネルギーを低減でき、また、入浴暖房時により暖かく感じることができ、また、浴室以外の居室の空調もでき、また、使用目的に応じた温湿度にでき、また、床下空間や天井裏空間をはじめとする非居住空間の換気や除湿もできる換気空調装置を提供することを目的としている。
【課題を解決するための手段】
【００１２】
上記した目的を達成するために、本発明が講じた第１の課題解決手段は、居住空間Ａに開口した吸込口から空気を吸い込んで前記居住空間Ａに開口した吹出口から空気を吹き出す循環ファンと、前記居住空間Ａに開口した吸込口と前記居住空間Ａとは別の居住空間Ｂ）に開口した吸込口から空気を吸い込んで屋外または前記居住空間Ａに吹き出す換気ファンと、冷媒を圧縮する圧縮機と、前記循環ファンにより送風される空気と冷媒を熱交換させる第一熱交換器と、冷媒を膨張させる膨張機構と、前記換気ファンにより送風される空気と冷媒を熱交換させる第二熱交換器と、前記圧縮機、前記第一熱交換器、前記膨張機構、前記第二熱交換器の順に冷媒が循環するように配管した冷媒回路とを備え、前記第二熱交換器で熱交換した空気を屋外と前記居住空間Ａのどちらか一方に吹き出すよう切り換える通路切換機構を備えることを特徴とするものである。
【００１３】
また、第２の課題解決手段は、通路切換機構は、第二熱交換器で熱交換した空気を屋外と第一熱交換器の風路の上流側のどちらか一方に吹き出し、前記第一熱交換器において、居住空間Ａから吸い込まれた空気だけに冷媒が放熱する、または前記居住空間Ａから吸い込まれた空気と前記第二熱交換器で熱交換した空気と合流した空気に冷媒が放熱することを特徴とするものである。
【００１４】
また、第３の課題解決手段は、第二熱交換器で熱交換した空気を屋外と居住空間Ａまたは、第一熱交換器の風路の上流側に吹き出す風量を各々調整する通路切換機構を備え、前記第二熱交換器で熱交換された空気の一部を前記居住空間Ａを冷却することに用い、一部を屋外に排気することを特徴とするものである。
【００１５】
また、第４の課題解決手段は、居住空間Ａと居住空間Ｂの空気を第二熱交換器をバイパスさせる開閉装置を備え、換気運転時に、直接屋外へ排出することを特徴とするものである。
【００１６】
また、第５の課題解決手段は、居住空間Ａの吸込口と換気ファンまたは、第二熱交換器との間に開閉装置を備え、暖房運転時や入浴中に、前記開閉装置を閉じることを特徴とするものである。
【００１７】
また、第６の課題解決手段は、居住空間Ｂの換気運転信号により、前記居住空間Ｂの空気を全て屋外へ排出するよう通路切換機構を動作させることを特徴とするものである。
【００１８】
また、第７の課題解決手段は、居住空間Ｂの吸込口と換気ファンまたは、第二熱交換器との間に開閉装置を備え、暖房運転時や居住空間Ａ以外の換気運転時などに居住空間Ａと隣接した居住空間Ｂの前記開閉装置を閉じることを特徴とするものである。
【００１９】
また、第８の課題解決手段は、居住空間Ａの吸込口と換気ファンまたは、第二熱交換器との間に開閉装置を備え、居住空間Ａと隣接した居住空間Ｂにおいて、前記開閉装置を閉じて、居住空間Ｂの換気を行うことにより、前記居住空間Ａを空調した空気が前記居住空間Ｂに流入することを特徴とするものである。
【００２０】
また、第９の課題解決手段は、居住空間Ａに開口した吸込口から空気を吸い込んで、前記居住空間Ａに開口した吹出口から、第一熱交換器を通る冷媒と熱交換した空気を吹き出す循環ファンと第二熱交換器を通る冷媒と熱交換した空気を吹き出す除湿ファンを設け、前記循環ファンと前記除湿ファンの運転組み合わせにより、居住空間Ａを空調することを特徴とするものである。
【００２１】
また、第１０の課題解決手段は、第二熱交換器で熱交換した空気を屋外と居住空間Ｂに吹き出す風量を各々調整する通路切換機構を備え、前記第二熱交換器で熱交換された空気の一部を前記居住空間Ｂを冷却することに用い、一部を屋外に排気することを特徴とするものである。
【００２２】
また、第１１の課題解決手段は、居住空間Ａに開口した吸込口から空気を吸い込んで、前記居住空間Ａに開口した吹出口から、第一熱交換器を通る冷媒と熱交換した空気を吹き出す循環ファンと前記居住空間Ａと居住空間Ｂに開口した吸込口から空気を吸い込んで、前記居住空間Ａに開口した吹出口または前記居住空間Ｂに連通した冷暖ダクトから、第二熱交換器を通る冷媒と熱交換した空気を吹き出す除湿ファンを設け、前記除湿ファンは前記第一熱交換器を通る風路と連通させ、前記循環ファンと前記除湿ファンの運転組み合わせにより、居住空間Ａと居住空間Ｂを空調することを特徴とするものである。
【００２３】
また、第１２の課題解決手段は、第一熱交換器または第二熱交換器で熱交換した空気を居住空間Ａと居住空間Ｂに吹き出す風量を各々調整する通路切換機構を備え、前記第一熱交換器または第二熱交換器で熱交換された空気を前記居住空間Ａまたはを居住空間Ｂに分配することを特徴とするものである。
【００２４】
また、第１３の課題解決手段は、居住空間Ａに開口した吸込口から空気を吸い込んで、前記居住空間Ａに開口した吹出口から、第一熱交換器を通る冷媒と熱交換した空気を吹き出す循環ファンと居住空間Ｂに連通した冷暖ダクトに吹出す冷暖ファンを設け、前記居住空間Ａと居住空間Ｂに開口した吸込口から空気を吸い込んで、前記居住空間Ａに開口した吹出口から、第二熱交換器を通る冷媒と熱交換した空気を吹き出す除湿ファンと屋外または前記居住空間Ｂに連通した冷暖ダクトに吹出す換気ファンを設け、前記循環ファンと前記冷暖ファンと前記除湿ファンと前記換気ファンの運転組み合わせにより、居住空間Ａと居住空間Ｂを空調することを特徴とするものである。
【００２５】
また、第１４の課題解決手段は、冷媒の流れ方向を圧縮機、第二熱交換器、膨張機構、第一熱交換器の順番に切換える流路切換弁を更に備え、前記第二熱交換器において前記換気ファンにより屋外に排出する空気に対して冷媒が放熱し、前記第一熱交換器において前記循環ファンにより居住空間Ａ内を循環する空気から冷媒が吸熱することによって前記居住空間Ａを冷房することを特徴とするものである。
【００２６】
また、第１５の課題解決手段は、第一熱交換器の冷媒が流れる配管中に冷媒を減圧する減圧手段を更に備え、前記減圧手段の下流側の冷媒が循環ファンにより送風される空気から吸熱した後、前記減圧手段の上流側の冷媒が放熱することによって居住空間Ａを除湿することを特徴とするものである。
【００２７】
また、第１６の課題解決手段は、居住空間Ａを暖房、冷房、除湿、乾燥して空調を行う場合は、換気ファンのみを運転して吸込口が開口した室内空間を換気する場合に対し、前記換気ファンの風量を増加させることを特徴とするものである。
【００２８】
また、第１７の課題解決手段は、吸込口に吸込まれる空気を居住空間Ａ以外に設置された空調機によって空調された空調空気としたことを特徴とするものである。
【００２９】
また、第１８の課題解決手段は、居住空間Ａを乾燥する場合に換気通路を通って屋外に排出される前記居住空間Ａの空気からも第二熱交換器において冷媒が吸熱することを特徴とするものである。
【００３０】
また、第１９の課題解決手段は、換気通路を吸込口を介して居住空間Ａ内と連通させたことを特徴とするものである。
【００３１】
また、第２０の課題解決手段は、循環ファンが送風する空気の少なくとも一部を加熱する補助ヒーターを更に備えたことを特徴とするものである。
【００３２】
また、第２１の課題解決手段は、補助ヒーターを浴室内に輻射熱を放散する輻射式のヒーターとしたことを特徴とするものである。
【００３３】
また、第２２の課題解決手段は、換気ファンによって第二熱交換器に供給される前の空気を予熱するための予熱ヒーターを更に備えたことを特徴とするものである。
【００３４】
また、第２３の課題解決手段は、第一熱交換器もしくは第二熱交換器の冷媒温度に基づいて流路切換弁を切り換えることを特徴とするものである。
【００３５】
また、第２４の課題解決手段は、圧縮機の吐出側から膨張機構に至る冷媒回路から分岐して、前記膨張機構から前記圧縮機の吸入側に至る冷媒回路に合流するバイパス回路と、前記バイパス回路を開閉する開閉弁を更に備えたことを特徴とするものである。
【００３６】
また、第２５の課題解決手段は、第二熱交換器と直列もしくは並列となるように冷媒回路中に冷媒を加熱する冷媒加熱手段を介在させたことを特徴とするものである。
【００３７】
また、第２６の課題解決手段は、冷媒加熱手段を、電熱により冷媒を加熱する冷媒加熱ヒーターとしたことを特徴とするものである。
【００３８】
また、第２７の課題解決手段は、冷媒加熱手段を、給湯水との熱交換により冷媒を加熱する冷媒−水熱交換器としたことを特徴とするものである。
【００３９】
また、第２８の課題解決手段は、冷媒−水熱交換器に供給される給湯水に、ヒートポンプ式給湯機で沸かされた湯を用いることを特徴とするものである。
【００４０】
また、第２９の課題解決手段は、冷媒−水熱交換器で冷媒との熱交換をした後の給湯水を、第一熱交換器或いは第二熱交換器に生じた結露水を排水する排水経路を通じて装置外部に排水する構成としたことを特徴とするものである。
【００４１】
また、第３０の課題解決手段は、冷媒−水熱交換器において冷媒が放熱するように、前記冷媒−水熱交換器に常温水を供給する構成としたことを特徴とするものである。
【００４２】
また、第３１の課題解決手段は、冷媒−水熱交換器で冷媒との熱交換をした後の給湯水と第一熱交換器或いは第二熱交換器に生じた結露水を排水する排水経路内にドレンポンプを備え、装置外部に排水する構成としたことを特徴とするものである。
【００４３】
また、第３２の課題解決手段は、圧縮機を駆動周波数可変とし、除湿運転時は暖房運転時より駆動周波数を同等以下としたことを特徴とするものである。
【００４４】
また、第３３の課題解決手段は、膨張機構を電子制御膨張弁とし、運転モード、圧縮機）の駆動周波数、室内温度、循環ファンの回転数、換気ファンの回転数などに対応して制御することを特徴とするものである。
【００４５】
また、第３４の課題解決手段は、排気ダクトまたは排気ダクトのいずれか、もしくは両方を非居住空間である床下空間や天井裏空間に連通させることにより、床下空間や天井裏空間から空気を吸い込んで屋外に排気することを特徴とするものである。
【００４６】
また、第３５の課題解決手段は、冷暖ダクトを床下空間に連通させることにより、除湿された空気を床下空間に供給することを特徴とするものである。
【００４７】
また、第３６の課題解決手段は、冷暖ダクトを天井裏空間に連通させることにより、除湿された空気を天井裏空間に供給することを特徴とするものである。
【００４８】
また、第３７の課題解決手段は、冷暖ダクトから床下空間と天井裏空間に吹き出す風量を調整する通路切換機構を備え、除湿された空気の一部を床下空間に供給し、一部を天井裏空間に供給することを特徴とするものである。
【００４９】
また、第３８の課題解決手段は、本体から床下空間へ引き回す冷暖ダクトや排気ダクトを住居の内壁とユニットバスの外壁の間を通し、浴室近傍の床下空間へ接続することを特徴とするものである。
【００５０】
また、第３９の課題解決手段は、本体と排気ダクトとの接続部に配設した温湿度検知手段により、排気ダクトが接続された空間、例えば床下空間や天井裏空間の温湿度条件を検知し、検知した温湿度に対応して圧縮機の駆動周波数、膨張機構、循環ファンの回転数、換気ファンの回転数を制御することを特徴とするものである。
【発明の効果】
【００５１】
本発明の換気空調装置によれば、浴室を空調した熱（冷熱）を屋外に漏洩させずに熱効率を向上することができるとともに、室内外を接続するための冷媒配管工事を不要にして省スペース化と施工性の向上を図ることができる。
【００５２】
そして請求項１記載の浴室空調装置では、第二熱交換器において、換気ファンによって屋外に排出される居住空間Ａ、例えば浴室と浴室以外の空間である居住空間Ｂ、例えば脱衣室やトイレの空気から冷媒が吸熱し、第一熱交換器において、循環ファンによって、居住空間Ａ、例えば浴室内を循環する空気に冷媒が放熱することにより、ヒートポンプを動作させて浴室の暖房させ、第二熱交換器を通過する空気のエンタルピーが屋外の空気より高いため、冷媒の蒸発能力が増大し、結果的に暖房能力を大きくもしくは、第二熱交換器を小型化できる。また、第二熱交換器で冷却し、水分を凝縮排水した空気を通路切換機構）を切替えることにより、屋外ではなく、浴室へ第二熱交換器を通過し、冷却・除湿された空気が吹き出されるため、第一熱交換器により加熱された空気と合流して、浴室の温度が大きく上昇しないで除湿でき、消費エネルギーを少なくして浴室乾燥や衣類乾燥に最適な温湿度にできる。
【００５３】
また、請求項２記載の浴室空調装置では、通路切換機構を切り換えて、第二熱交換器で冷却された空気を第一熱交換器の風路の上流側に流すことにより、浴室の温度が高温になった場合などに、第一熱交換器の冷媒の圧力を下げて、圧縮機などの長期信頼性を向上でき、吹出す空気の温湿度も均一で浴室乾燥や衣類乾燥のムラが減少できる。
【００５４】
また、請求項３記載の浴室空調装置では、第二熱交換器で熱交換された空気を屋外と浴室または、第一熱交換器の風路の上流側に吹き出す風量を各々調整することにより、浴室の温湿度を調整して乾燥性能を向上させながら、浴室や脱衣室やトイレからの換気風量も調整して空気質も向上できる。
【００５５】
また、請求項４記載の浴室空調装置では、浴室や脱衣室やトイレからの換気運転時には、第二熱交換器をバイパスさせることにより、器内抵抗を減らし、換気ファンの入力を減少できる。
【００５６】
また、請求項５記載の浴室空調装置では、暖房時や入浴中に、開閉装置を閉じることにより、脱衣室やトイレからの換気は継続しながら、浴室からの換気を停止でき、浴室を暖房した空気を排出せずに効率よく浴室を空調することができ、入浴中のドラフト感を低減できる。
【００５７】
また、請求項６記載の浴室空調装置では、トイレの換気時に、換気ファンで吸い込んだ空気を全て屋外に排出することにより、トイレから浴室や脱衣室への臭いの移行を防止できる。
【００５８】
また、請求項７記載の浴室空調装置では、暖房運転時や浴室以外の換気運転時に浴室と隣接した脱衣室の開閉装置を閉じることにより、浴室が入浴中で高湿時に、脱衣室を負圧にしないことにより、浴室からの湿度の移行を防止できる。
【００５９】
また、請求項８記載の浴室空調装置では、浴室と換気ファンまたは第二熱交換器との間に開閉装置を設け、浴室と浴室と隣接した脱衣室をあわせて暖房、除湿、乾燥、冷房運転のいずれかの運転をする場合に、前記開閉装置を閉じて浴室の換気は行わず、脱衣室の換気を行うことにより、浴室に吹き出された暖房、除湿、乾燥、冷房空気のいずれかが、浴室のギャラリを通って、隣接し、負圧になった脱衣室に流れ、脱衣室も暖房、除湿、乾燥、冷房運転ができる。
【００６０】
また、請求項９記載の浴室空調装置では、第一熱交換器を通る空気を浴室に吹き出す循環ファンと第二熱交換器を通る空気を浴室に吹き出す除湿ファンを設け、前記循環ファンと前記除湿ファンの運転組み合わせにより、浴室に吹き出される空気の温湿度と風量を制御して、使用目的に応じた最適な空間にすばやくでき、また消費エネルギーを少なくすることができる。
【００６１】
また、請求項１０記載の浴室空調装置では、第二熱交換器で熱交換した空気を屋外と脱衣室に吹き出す風量を各々調整する通路切換機構を備え、前記第二熱交換器で熱交換された空気の一部を前記脱衣室を冷却することに用い、一部を屋外に排気することにより、浴室を暖房しながら、脱衣室を冷房できる。
【００６２】
また、請求項１１記載の浴室空調装置では、第一熱交換器と第二熱交換器にそれぞれ循環ファンと除湿ファンを設け、前記除湿ファンは浴室または脱衣室に吹出し、前記第一熱交換器の風路とも連通することにより、浴室を暖房しながら脱衣室を冷房できる以外に、浴室と脱衣室を同時に暖房できる。
【００６３】
また、請求項１２記載の浴室空調装置では、第一熱交換器または第二熱交換器で熱交換した空気を浴室と脱衣室に吹き出す風量を各々調整する通路切換機構を備え、前記第一熱交換器または、第二熱交換器で熱交換された空気の一部を前記浴室または脱衣室を暖房または冷房することに用いることにより、浴室と脱衣室について、使用目的に応じた最適な空調ができる。
【００６４】
また、請求項１３記載の浴室空調装置では、第一熱交換器用の循環ファンと冷暖ファン、第二熱交換器用の除湿ファンと換気ファンをそれぞれ設け、浴室と脱衣室とトイレと屋外への吹出し風量や温湿度を制御することにより、浴室と脱衣室とトイレについて、使用目的に応じた最適な空調ができる。
【００６５】
また、請求項１４記載の浴室空調装置では、冷媒の流れ方向を変える流路切換弁を設け、浴室または脱衣室の常温室内空気で第二熱交換器の高温高圧冷媒が放熱し、第一熱交換器がより効率的に浴室の空気から吸熱することにより、浴室の冷房運転の熱効率を更に向上させることができる。
【００６６】
また、請求項１５記載の浴室空調装置では、第一熱交換器の配管中に減圧手段を設け、前記減圧手段の下流側で吸熱した後、上流側で放熱して、浴室内を除湿することにより、第一熱交換器で除湿した空気を浴室外部に漏洩させずに効率的に浴室を除湿することができる。
【００６７】
また、請求項１６記載の浴室空調装置では、浴室内を空調する場合に、吸込口が開口した浴室以外の室内空間を換気する場合に対し、換気ファンの風量を増加させることにより、第二熱交換器における吸熱量もしくは放熱量を増加させて十分な空調能力を得ることができる。
【００６８】
また、請求項１７記載の浴室空調機では、浴室以外に設置された空調機によって空調された空調空気を吸込口から吸込んで第二熱交換器に供給することにより、浴室以外で発生した空調機の熱エネルギーを回収して熱効率を更に向上することができる。
【００６９】
また、請求項１８記載の浴室空調機では、浴室を乾燥する場合に、第二熱交換器において換気通路を通って屋外に排出される浴室の空気からも冷媒が吸熱することにより、第一熱交換器において浴室の空気に放熱された熱も回収して乾燥効率の向上を図ることができる。
【００７０】
また、請求項１９記載の換気空調装置では、換気通路を、吸込口を介して浴室内と連通させることにより、換気通路の吸込部分を吸込口と共用化して除塵フィルターの個数を低減することができる。
【００７１】
また、請求項２０記載の換気空調装置では、補助ヒーターで循環ファンが送風する空気の少なくとも一部を加熱することにより、低温環境における暖房能力不足を補填することができる。
【００７２】
また、請求項２１記載の浴室などの換気空調装置では、補助ヒーターの輻射熱を浴室内に放散することにより、入浴時のドラフト感を減らし快適性を向上することができる。
【００７３】
また、請求項２２記載の換気空調装置では、予熱ヒーターで第二熱交換器に供給される前の空気を予熱することにより、低温環境における暖房能力の低下や第二熱交換器への着霜の抑制することができ、また、付着した霜の除去を行うことができる。
【００７４】
また、請求項２３記載の換気空調装置では、低温時に第一熱交換器もしくは第二熱交換器に霜が付着した場合に冷媒温度に基づいて流路切換弁を切り換えることにより、付着した霜の除去を行うことができる。
【００７５】
また、請求項２４記載の換気空調装置では、低温時に第二熱交換器に霜が付着した場合に冷媒回路の高圧側と低圧側をバイパス回路を通じて開放し、高温の冷媒を第二熱交換器に流通させる若しくは第二熱交換器内の冷媒圧力を上昇させることにより、付着した霜の除去を行うことができる。
【００７６】
また、請求項２５記載の換気空調装置では、冷媒加熱手段を第二熱交換器と直列もしくは並列となるように冷媒回路中に介在させ、第二熱交換器に霜が付着するなど吸熱能力が低下した場合において、冷媒加熱手段を作動させることにより、吸熱能力を確保して暖房能力を維持することができる。
【００７７】
また、請求項２６記載の換気空調装置では、冷媒加熱手段に、電熱によって冷媒を加熱する冷媒加熱ヒーターを用いることにより、冷媒加熱手段の小型化を図ることができる。
【００７８】
また、請求項２７記載の換気空調装置では、冷媒加熱手段に、給湯水との熱交換によって冷媒を加熱する冷媒−水熱交換器を用いることにより、冷媒加熱手段での電力使用量を削減することができる。
【００７９】
また、請求項２８記載の換気空調装置では、冷媒−水熱交換器に供給する給湯水に、ヒートポンプ式給湯機で沸かされた湯を用いることにより、冷媒加熱手段の電力使用量を更に削減することができる。
【００８０】
また、請求項２９記載の換気空調装置では、冷媒−水熱交換器で冷媒との熱交換をした後の給湯水を排水する場合に、第一熱交換器あるいは第二熱交換器に生じた結露水を排水する排水経路を利用することにより、排水経路数を増やさずに施工を簡略化することができる。
【００８１】
また、請求項３０記載の換気空調装置では、夏場などの高温時に放熱能力が不足した場合に冷媒−水熱交換器に供給される常温水に対して冷媒が放熱するように構成することにより、放熱不足を解消して冷房能力を維持することができる。
【００８２】
また、請求項３１記載の換気空調装置では、冷媒−水熱交換器で冷媒との熱交換をした後の給湯水と第一熱交換器あるいは第二熱交換器に生じた結露水を排水する排水経路内にドレンポンプを備えることにより、より高い排水高さが保持でき、排水の熱の再利用や排水の再蒸発により、省施工と省エネが図れる。
【００８３】
また、請求項３２記載の換気空調装置では、圧縮機を駆動周波数可変とし、除湿運転時は暖房運転時より駆動周波数を同等以下とすることにより、浴室内の温度上昇を抑え、電力使用量を更に削減することができる。
【００８４】
また、請求項３３記載の換気空調装置では、膨張機構を電子制御膨張弁とし、運転モード、圧縮機の駆動周波数、室内温度、循環ファンの回転数、換気ファンの回転数などに対応して制御することにより、浴室内の温湿度を快適にしながら、電力使用量を更に削減することができる。
【００８５】
また、請求項３４記載の換気空調装置では、排気ダクトまたは排気ダクトのいずれか、もしくは両方を非居住空間である床下空間や天井裏空間に連通させることにより、床下空間や天井裏空間から空気を吸い込んで屋外に排気することにより、床下空間や天井裏空間の換気を行なうことができる。
【００８６】
また、請求項３５記載の換気空調装置では、冷暖ダクトを床下空間に連通させることにより、除湿された空気を床下空間に供給することにより、床下空間の除湿を行なうことができる。
【００８７】
また、請求項３６記載の換気空調装置では、冷暖ダクトを天井裏空間に連通させることにより、除湿された空気を天井裏空間に供給することにより、天井裏空間の除湿を行なうことができる。
【００８８】
また、請求項３７記載の換気空調装置では、冷暖ダクトから床下空間と天井裏空間に吹き出す風量を調整する通路切換機構を備え、除湿された空気の一部を床下空間に供給し、一部を天井裏空間に供給することにより、床下空間と天井裏空間を同時に除湿することができる。
【００８９】
また、請求項３８記載の換気空調装置では、本体から床下空間へ引き回す冷暖ダクトや排気ダクトを住居の内壁とユニットバスの外壁の間を通し、浴室近傍の床下空間へ接続することを特徴とするものである。
【００９０】
また、請求項３９記載の換気空調装置では、本体と排気ダクトとの接続部に配設した温湿度検知手段により、排気ダクトが接続された空間、例えば床下空間や天井裏空間の温湿度条件を検知し、検知した温湿度に対応して圧縮機の駆動周波数、膨張機構、循環ファンの回転数、換気ファンの回転数を制御することにより、除湿運転が必要なときに効率よく運転を行なうことができる。
【発明を実施するための最良の形態】
【００９１】
本発明の請求項１記載の発明は、第二熱交換器において、換気ファンによって屋外に排出される居住空間Ａ、例えば浴室と浴室以外の空間である居住空間Ｂ、例えば脱衣室やトイレの空調された空気から冷媒が吸熱し、第一熱交換器において、循環ファンによって、居住空間Ａ、例えば浴室内を循環する空気に冷媒が放熱し、ヒートポンプを動作させて浴室の暖房させ、第二熱交換器を通過する空気のエンタルピーが屋外の空気より高いため、冷媒の蒸発能力が増大し、冬季の暖房運転時の着霜もしにくいものである。これにより暖房能力を大きくするかもしくは、同一能力では第二熱交換器を小型化できる。また、第二熱交換器で冷却し、水分を凝縮排水した空気を通路切換機構を屋外側から浴室側へ切替えることにより、屋外ではなく、浴室へ第二熱交換器を通過し、冷却・除湿された空気が吹き出され、第一熱交換器により加熱された空気と合流するものである。これにより浴室の温度が大きく上昇しないで除湿でき、消費エネルギーを少なくして浴室乾燥や衣類乾燥に最適な温湿度にできる。
【００９２】
また、浴室の天井裏などに設置した換気空調装置内部に冷媒回路を構成する圧縮機、第一熱交換器、膨張機構、第二熱交換器が全て収納される。これにより、屋外に室外機を置くスペースが不要となり、また、施工時に冷媒配管工事をする必要もなくなり、省スペース化と施工性の向上が図られる。
【００９３】
また、請求項２記載の発明は、第二熱交換器で冷却された空気を第一熱交換器の風路の上流側に流すものである。これにより浴室の温度が高温になった場合などに、第一熱交換器の冷媒の圧力を下げて、圧縮機などの長期信頼性を向上できる。
【００９４】
また、請求項３記載の発明は、第二熱交換器で熱交換された空気を屋外と浴室または、第一熱交換器の風路の上流側に吹き出す風量を各々調整するものである。これにより浴室の温度を調整して快適性を向上させながら、浴室や脱衣室やトイレからの換気風量も調整して空気質も向上できる。
【００９５】
また、請求項４記載の発明は、浴室や脱衣室やトイレからの換気運転時には、第二熱交換器をバイパスさせるものである。これにより器内抵抗を減らし、換気ファンの入力を減少できる。
【００９６】
また、請求項５記載の発明は、暖房時や入浴中に、開閉装置を閉じるものである。これにより脱衣室やトイレからの換気は継続しながら、浴室からの換気を停止でき、浴室を暖房した空気を排出せずに効率よく浴室を空調することができ、入浴中のドラフト感を低減できる。
【００９７】
また、請求項６記載の発明は、トイレの換気時に、換気ファンで吸い込んだ空気を全て屋外に排出するものである。これによりトイレから浴室や脱衣室への臭いの移行を防止できる。
【００９８】
また、請求項７記載の発明は、暖房運転時や浴室以外の換気運転時に浴室と隣接した脱衣室の開閉装置を閉じるものである。これにより浴室が入浴中で高湿時に、脱衣室を負圧にしないことにより、浴室からの湿度の移行を防止できる。
【００９９】
また、請求項８記載の発明は、浴室と換気ファンまたは第二熱交換器との間に開閉装置）を設け、浴室と浴室と隣接した脱衣室をあわせて暖房、除湿、乾燥、冷房運転などする場合に、前記開閉装置を閉じて、脱衣室の換気を行うものである。これにより浴室に吹き出された暖房、除湿、乾燥、冷房空気などが、浴室のギャラリを通って、隣接し、負圧になった脱衣室に流れ、脱衣室も暖房、除湿、乾燥、冷房運転などができる。
【０１００】
また、請求項９記載の発明は、第一熱交換器を通る空気を浴室に吹き出す循環ファンと第二熱交換器を通る空気を浴室に吹き出す除湿ファンを設け、前記循環ファンと前記除湿ファンの運転組み合わせにより、浴室の空調を行うものである。これにより浴室に吹き出される空気の温湿度を制御して、目的に応じた最適な空間とすることができる。
【０１０１】
また、請求項１０記載の発明は、第二熱交換器で熱交換した空気を屋外と脱衣室に吹き出す風量を各々調整する通路切換機構を備え、前記第二熱交換器で熱交換された空気の一部を前記脱衣室を冷却することに用い、一部を屋外に排気するものである。これにより浴室を暖房しながら、脱衣室を冷房できる。
【０１０２】
また、請求項１１記載の発明は、第一熱交換器と第二熱交換器にそれぞれ循環ファンと除湿ファンを設け、前記除湿ファンは浴室または脱衣室に吹出し、前記第一熱交換器の風路とも連通することにものである。これにより浴室を暖房しながら脱衣室を冷房できる以外に、浴室と脱衣室を同時に暖房できる。
【０１０３】
また、請求項１２記載の発明は、第一熱交換器または第二熱交換器で熱交換した空気を浴室と脱衣室に吹き出す風量を各々調整する通路切換機構を備え、前記第一熱交換器または、第二熱交換器で熱交換された空気の一部を前記浴室または脱衣室を暖房または冷房することに用いるものである。これにより浴室と脱衣室を最適に空調できる。
【０１０４】
また、請求項１３記載の発明は、第一熱交換器用の循環ファンと冷暖ファン、第二熱交換器用の除湿ファンと換気ファンをそれぞれ設け、浴室と脱衣室とトイレと屋外への吹出し風量や温湿度を制御するものである。これにより、浴室と脱衣室とトイレ最適に空調できる。
【０１０５】
また、請求項１４記載の発明は、冷媒の流れ方向を変える流路切換弁を設け、浴室または脱衣室の常温室内空気で第二熱交換器の高温高圧冷媒が放熱し、第一熱交換器がより効率的に浴室の空気から吸熱するものである。これにより、浴室の冷房運転の熱効率を更に向上させることができる。
【０１０６】
また、請求項１５記載の発明は、第一熱交換器の配管中に減圧手段を設け、前記減圧手段の下流側で吸熱した後、上流側で放熱して、浴室内を除湿することものである。これにより第一熱交換器で除湿した空気を浴室外部に漏洩させずに効率的に浴室を除湿することができる。
【０１０７】
また、請求項１６記載の発明は、浴室内を空調する場合に、吸込口が開口した浴室以外の室内空間を換気する場合に対し、換気ファンの風量を増加させるものである。これにより第二熱交換器における吸熱量もしくは放熱量を増加させて十分な空調能力を得ることができる。
【０１０８】
また、請求項１７記載の発明は、浴室以外に設置された空調機によって空調された空調空気を吸込口から吸込んで第二熱交換器に供給するものである。これにより浴室以外で発生した空調機の熱エネルギーを回収して熱効率を更に向上することができる。
【０１０９】
また、請求項１８記載の発明は、浴室を乾燥する場合に、第二熱交換器において換気通路を通って屋外に排出される浴室の空気からも冷媒が吸熱するものである。これにより、第一熱交換器において浴室の空気に放熱された熱も回収して乾燥効率の向上を図ることができる。
【０１１０】
また、請求項１９記載の発明は、換気通路を、吸込口を介して浴室内と連通させるものである。これにより換気通路の吸込部分を吸込口と共用化して除塵フィルターの個数を低減することができる。
【０１１１】
また、請求項２０記載の発明は、補助ヒーターで循環ファンが送風する空気の少なくとも一部を加熱するものである。これにより、低温環境における暖房能力不足を補填することができる。
【０１１２】
また、請求項２１記載の換気空調装置は、補助ヒーターの輻射熱を浴室内に放散するものである。これにより入浴時のドラフト感を減らし快適性を向上することができる。
【０１１３】
また、請求項２２記載の発明は、予熱ヒーターで第二熱交換器に供給される前の空気を予熱するものである。これにより低温環境における暖房能力の低下や第二熱交換器への着霜の抑制することができ、また、付着した霜の除去を行うことができる。
【０１１４】
また、請求項２３記載の発明は、低温時に第一熱交換器もしくは第二熱交換器に霜が付着した場合に冷媒温度に基づいて流路切換弁を切り換えるものである。これにより、付着した霜の除去を行うことができる。
【０１１５】
また、請求項２４記載の発明は、低温時に第二熱交換器に霜が付着した場合に冷媒回路の高圧側と低圧側をバイパス回路を通じて開放し、高温の冷媒を第二熱交換器に流通させる若しくは第二熱交換器内の冷媒圧力を上昇させるものである。これにより付着した霜の除去を行うことができる。
【０１１６】
また、請求項２５記載の発明は、冷媒加熱手段を第二熱交換器と直列もしくは並列となるように冷媒回路中に介在させ、第二熱交換器に霜が付着するなど吸熱能力が低下した場合において、冷媒加熱手段を作動させるものである。これにより、吸熱能力を確保して暖房能力を維持することができる。
【０１１７】
また、請求項２６記載の発明は、冷媒加熱手段に、電熱によって冷媒を加熱する冷媒加熱ヒーターを用いるものである。これにより、冷媒加熱手段の小型化を図ることができる。
【０１１８】
また、請求項２７記載の発明は、冷媒加熱手段に、給湯水との熱交換によって冷媒を加熱する冷媒−水熱交換器を用いるものである。これにより、冷媒加熱手段での電力使用量を削減することができる。
【０１１９】
また、請求項２８記載の発明は、冷媒−水熱交換器に供給する給湯水に、ヒートポンプ式給湯機で沸かされた湯を用いるものである。これにより、冷媒加熱手段の電力使用量を更に削減することができる。
【０１２０】
また、請求項２９記載の発明は、冷媒−水熱交換器で冷媒との熱交換をした後の給湯水を排水する場合に、第一熱交換器あるいは第二熱交換器に生じた結露水を排水する排水経路を利用するものである。これにより、排水経路数を増やさずに施工を簡略化することができる。
【０１２１】
また、請求項３０記載の発明は、夏場などの高温時に放熱能力が不足した場合に冷媒−水熱交換器に供給される常温水に対して冷媒が放熱するように構成するものである。これにより、放熱不足を解消して冷房能力を維持することができる。
【０１２２】
また、請求項３１記載の発明は、冷媒−水熱交換器で冷媒との熱交換をした後の給湯水と第一熱交換器あるいは第二熱交換器に生じた結露水を排水する排水経路内にドレンポンプを備えるものである。これにより、より高い排水高さが保持でき、排水の熱の再利用や排水の再蒸発により、省施工と省エネが図れる。
【０１２３】
また、請求項３２記載の発明は、圧縮機を駆動周波数可変とし、除湿運転時は暖房運転時より駆動周波数を同等以下とするものである。これにより、浴室内の温度上昇を抑え、電力使用量を更に削減することができる。
【０１２４】
また、請求項３３記載の発明は、膨張機構を電子制御膨張弁とし、運転モード、圧縮機の駆動周波数、室内温度、循環ファンの回転数、換気ファンの回転数などに対応して制御するものである。これにより、浴室内の温湿度を快適にしながら、電力使用量を更に削減することができる。
【０１２５】
また、請求項３４記載の発明は、排気ダクトまたは排気ダクトのいずれか、もしくは両方を非居住空間である床下空間や天井裏空間に連通させることにより、床下空間や天井裏空間から空気を吸い込んで屋外に排気することにより、床下空間や天井裏空間の換気を行なうことができる。
【０１２６】
また、請求項３５記載の発明は、冷暖ダクトを床下空間に連通させることにより、除湿された空気を床下空間に供給することにより、床下空間の除湿を行なうことができる。
【０１２７】
また、請求項３６記載の発明は、冷暖ダクトを天井裏空間に連通させることにより、除湿された空気を天井裏空間に供給することにより、天井裏空間の除湿を行なうことができる。
【０１２８】
また、請求項３７記載の発明は、冷暖ダクトから床下空間と天井裏空間に吹き出す風量を調整する通路切換機構を備え、除湿された空気の一部を床下空間に供給し、一部を天井裏空間供給することにより、床下空間と天井裏空間を同時に除湿することができる。
【０１２９】
また、請求項３８記載の発明は、本体から床下空間へ引き回す冷暖ダクトや排気ダクトを住居の内壁とユニットバスの外壁の間を通し、浴室近傍の床下空間へ接続することにより、住居の床下空間の中でも湿気の滞留しやすい浴室や洗面所などの水使用機器近傍の床下空間を集中的に換気や除湿することができる。
【０１３０】
また、請求項３９記載の発明は、本体と排気ダクトとの接続部に配設した温湿度検知手段により、排気ダクトが接続された空間、例えば床下空間や天井裏空間の温湿度条件を検知し、検知した温湿度に対応して圧縮機の駆動周波数、膨張機構、循環ファンの回転数、換気ファンの回転数を制御することにより、除湿運転が必要なときに効率よく運転を行なうことができる。
【０１３１】
以下、本発明の実施の形態について図を参照しながら説明する。
【０１３２】
（実施の形態１）
図１は、本発明の実施形態１にかかる換気空調装置が設置される居住空間の見取り図である。図１において、居住空間Ａ１、居住空間Ｂ２は、リビング３、浴室４、脱衣室５、トイレ６などに区画されており、例えば居住空間Ａ１である浴室４の天井裏には、換気空調装置の本体７が設置されている。この本体７には、本体７と屋外を連通する排気ダクト８、居住空間Ｂ２の一つである脱衣室５の天井に開口した吸気口９と本体７とを連通する排気ダクト１０および居住空間Ｂ２の一つであるトイレ６の天井に開口した吸気口１１と本体７とを連通する排気ダクト１２が接続されている。
【０１３３】
また、本体７内部には換気ファン１３が配設されており、屋外と本体７を連通する排気ダクト８は換気ファン１３の吹出側に接続され、脱衣室５と本体７を連通する排気ダクト１０およびトイレ６と本体７を連通する排気ダクト１２は換気ファン１３の吸込側に接続されている。したがって換気ファン１３を運転すると、吸気口９および吸気口１１から排気ダクト１０および排気ダクト１２を通じて脱衣室５およびトイレ６の空気が換気ファン１３に吸い込まれ、排気ダクト８を通じて屋外に排出される。
【０１３４】
そして換気ファン１３を連続運転すると居住空間Ａ１および居住空間Ｂ２内が負圧になるため、リビング３の屋外に面した壁に開口した吸気口１４から新鮮な外気が給気されて居住空間Ａ１および居住空間Ｂ２が換気されることになる。この換気運転は建物の気密性が高い場合は連続して行う必要があるため（２４時間換気）、換気ファン１３は所定の換気量、例えば一時間で居住空間Ａ１および居住空間Ｂ２の約半分の容積に相当する換気量を確保するように連続運転を行う。
【０１３５】
また、リビング３には部屋の温度をコントロールするための空調機１５が設置されており、夏場は冷房運転、冬場は暖房運転を行って室温を適正に保持している。したがって前述したように年間を通じて連続した換気運転を行っていると、夏場はリビング３において空調機１５で冷房された低温の空気、冬場は空調機１５で暖房された高温の空気が脱衣室５のドア１６およびトイレ６のドア１７のガラリやアンダーカット部分を通じて吸気口９および吸気口１１に吸い込まれ、換気空調装置の本体７を介して屋外に排出されることになる。
【０１３６】
図２は換気空調装置の風路構成図及び冷媒回路図であり、浴室４の天井裏に図に示す換気空調装置の本体７が設置されており、本体７の底部に浴室４の天井面に対して吸込口１８および吹出口１９を開口するとともに吸込口１８に着脱自在に塵埃を捕捉するためのフィルター２０を配設している。
【０１３７】
また、吸込口１８近傍には浴室４内の温度、湿度等の空気条件を検出するための温湿度検出装置２１を配設している。温湿度検出装置２１は例えばサーミスタを用いる。
【０１３８】
また、本体７内部には吸込口１８と吹出口１９を連通する循環通路２２が形設されており、この循環通路２２内に吸込口１８から浴室４の空気を吸い込んで吹出口１９から吹き出す循環ファン２３が配設されている。
【０１３９】
また、循環通路２２の吹出口１９近傍には、循環ファン２３が送風する空気の少なくとも一部を加熱する輻射式の補助ヒーター２４が設けられており、この補助ヒーター２４は放出する輻射熱が浴室４内に放散するように配設されている。
【０１４０】
また、本体７内部には吸込口１８と換気ファン１３の吸込側を連通する換気通路２５も形成しており、この換気通路２５に脱衣室５と連通している排気ダクト１０およびトイレ６と連通している排気ダクト１２が接続されている。さらに換気通路２５内の吸込口１８と換気ファン１３の吸込側とを連通する経路中にダンパー機構を有して通路を開閉する開閉装置２６を配設している。したがって換気ファン１３が運転されている場合に開閉装置２６を開放状態に設定すると吸込口１８と排気ダクト１０および排気ダクト１２から本体７内に空気が吸い込まれ屋外に排出されることになる。
【０１４１】
また、開閉装置２６を閉鎖状態に設定すると排気ダクト１０と排気ダクト１２から空気が吸い込まれ屋外に排出されることになる。したがって、浴室４と脱衣室５が隣接している場合、脱衣室５は排気ダクト１０と連通しているため負圧となる。これにより浴室４の暖房された空気が浴室４のドアに設けられたガラリを通って脱衣室５へ流入するため脱衣室５も暖房されることになる。
【０１４２】
また換気通路２５内の吸込口１８と換気ファン１３の吸込側とを連通する経路中にさらにダンパー機構を有して通路を開閉する開閉装置２７を配設している。したがって換気ファン１３が運転されている場合に開閉装置２７を開放状態に設定すると吸込口１８と排気ダクト１０および排気ダクト１２から本体７内に空気が吸い込まれ、後述する第二熱交換器を通過することなく直接換気ファン１３に吸い込まれることになる。
【０１４３】
また排気ダクト１０および排気ダクト１２の本体７との連接経路中に各々ダンパー機構を有して排気ダクト１０の通路を開閉する開閉装置２８および排気ダクト１２の通路を開閉する開閉装置２９を配設している。したがって換気ファン１３が運転されている場合に開閉装置２８もしくは開閉装置２９を閉鎖状態設定にすると脱衣室５もしくはトイレ６からは空気を吸い込まず、開閉装置２７、開閉装置２８および開閉装置２９のうち開放状態に設定された経路からのみ空気が吸い込まれることになる。このようにして換気ファン１３に吸い込まれた空気は、換気ファン１３の吹出側に接続されている排気ダクト８を通じて屋外に排出されることになる。
【０１４４】
また、換気ファン１３と排気ダクト８との間にダンパー機構を有して通路を切り換える通路切換機構３０と換気ファン１３の吹出側と循環ファン２３の吸込側である後述する第一熱交換器の上流または下流を連通する除湿通路３１が形設されており、この通路切換機構３０を切り換えることにより換気ファン１３からの吹き出し空気を排気ダクト８を通じて屋外に排出するか循環ファン２３の吸込側へ流すかを選択することができる。
【０１４５】
また通路切換機構３０の開度を設定することにより換気ファン１３からの吹き出し空気を任意に排気ダクト８と除湿通路３１とに分配することができる。通路切換機構３０を任意の開度に設定することにより例えば換気ファン１３からの吹き出し空気の３割を排気ダクト８を通して屋外に排出し７割を除湿通路３１を通して浴室４へ供給することができる。
【０１４６】
また、本形態において循環ファン２３を運転し、換気ファン１３を停止した状態で通路切換機構３０が任意の開度となっている場合、吸込口１８から循環通路２２を経て吹出口１９より吹き出す経路と吸込口１８から換気通路２５を経て除湿通路３１を経て循環通路２２を経て吹出口１９より吹き出す二つの経路を通過する。換気ファン１３を運転した場合はより後者の経路を通過し易くなる。
【０１４７】
また、本体７内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路３２を形設しており、この冷媒回路３２中に、冷媒を圧縮する圧縮機３３、供給空気と冷媒とを熱交換させる第一熱交換器３４、冷媒を膨張させる電子式膨張弁からなる膨張機構３５、供給空気と冷媒とを熱交換させる第二熱交換器３６を介設している。この冷媒回路３２には、圧縮機３３で圧縮された冷媒が第一熱交換器３４、膨張機構３５、第二熱交熱交換器３６の順に流れて再び圧縮機３３に戻る経路（以下、暖房サイクル）と、圧縮機３３で圧縮された冷媒が第二熱交換器３６、膨張機構３５、第一熱交熱交換器３４の順に流れて再び圧縮機３３に戻る経路（以下、冷房サイクル）とを切り換えるための流路切換弁３７が介設されている。
【０１４８】
また、第一熱交換器３４および第二熱交換器３６の下方には水受皿３８および水受皿３９を配設し、水受皿３８、水受皿３９には水を排出するためのドレンポンプ４０およびドレンポンプ４１を配設している。
【０１４９】
また、冷媒回路３２には、流路切換弁３７と第一熱交換器３４を結ぶ配管中から分岐して膨張機構３５と第二熱交換器３６を結ぶ配管中に合流するバイパス回路４２と、第一熱交換器３４と膨張機構３５を結ぶ配管中から分岐して第二熱交換器３６と流路切換弁３７を結ぶ配管中に合流するバイパス回路４３を配管しており、バイパス回路４２中に開閉弁４４を介設するとともにバイパス回路４３中に開閉弁４５および冷媒加熱手段４６を介設している。この冷媒加熱手段４６には後述する冷媒加熱ヒーターや冷媒−水熱交換器を用いることができる。
【０１５０】
また、第一熱交換器３４は、循環通路２２内に配設されており、第二熱交換器３６は、換気通路２５内に配設されている。したがって第一熱交換器３４においては循環ファン２３により循環する浴室４の空気に対して冷媒が放熱（または吸熱）を行い、第二熱交換器３６においては換気ファン１３により屋外に排出される空気に対して冷媒が吸熱（もしくは放熱）を行うことになる。
【０１５１】
また、第一熱交換器３４の冷媒が流れる配管中には開閉弁４７とキャピラリーチューブ４８で構成される減圧手段４９を介設しており、第一熱交換器３４は、流路切換弁３７が冷媒の流れ方向を暖房サイクルに切り換えた場合に循環ファン２３により循環する浴室４の空気が第一熱交換器３４の減圧手段４９の下流側を流れる冷媒と熱交換した後に減圧手段４９の上流側を流れる冷媒と熱交換を行うように形設されている。さらに換気通路２５内の第二熱交換器３６の風上側には自己温度制御性を有する予熱ヒーター５０が配設されており、この予熱ヒーター５０を作動させると換気通路２５に吸い込まれた脱衣室５の空気やトイレ６の空気もくしは浴室４の空気を予め加熱して第二熱交換器３６に供給することができる。
【０１５２】
また、換気ファン１３は第二熱交換器３６の下流側に配設した形態となっているが上流側に配設してもよい。換気ファン１３を第二熱交換器３６の上流側に配設した場合は、開閉装置２７は換気ファン１３と第二熱交換器３６の間に配設し、この第二熱交換器３６に併設した風路への通過と、第二熱交換器３６への通過を切り換える構成とすればよい。
【０１５３】
また、循環ファン２３は第一熱交換器３４の上流側に配設しても下流側に配設してもよい。
【０１５４】
（実施の形態２）
図３は換気空調装置の風路構成図及び冷媒回路図であり、図に示すように浴室４の天井裏に換気空調装置の本体７が設置されており、本体７の底部に浴室４の天井面に対して吸込口１８および吹出口１９および吹出口５１を開口するとともに吸込口１８に着脱自在に塵埃を捕捉するためのフィルター２０を配設している。
【０１５５】
また、吸込口１８近傍には浴室４内の温度、湿度等の空気条件を検出するための温湿度検出装置２１を配設している。温湿度検出装置２１は例えばサーミスタを用いる。
【０１５６】
また、本体７内部には吸込口１８と吹出口１９を連通する循環通路２２が形設されており、この循環通路２２内に吸込口１８から浴室４の空気を吸い込んで吹出口１９から吹き出す循環ファン２３が配設されている。
【０１５７】
また、循環通路２２の吹出口１９近傍には、循環ファン２３が送風する空気の少なくとも一部を加熱する輻射式の補助ヒーター２４が設けられており、この補助ヒーター２４は放出する輻射熱が浴室４内に放散するように配設されている。
【０１５８】
また、本体７内部には吸込口１８と換気ファン１３の吸込側を連通する換気通路２５も形成しており、この換気通路２５に脱衣室５と連通している排気ダクト１０およびトイレ６と連通している排気ダクト１２が接続されている。
【０１５９】
また換気通路２５に吸込口１８と吹出口５１を連通する除湿通路５２が形設されており、この除湿通路５２内に吸込口１８から浴室４の空気や排気ダクト１０および排気ダクト１２から脱衣室５およびトイレ６等の居住空間の空気を吸い込んで吹出口５１から吹き出す除湿ファン５３が配設されている。さらに除湿ファン５３と吹出口５１の間にダンパー機構を有して通路を開閉する開閉装置５４を配設し除湿ファン５３が停止している場合は開閉装置５４を閉鎖状態に設定することにより換気ファン１３が運転している場合に吹出口５１からの空気の吸込みを防止する。さらに換気通路２５内の吸込口１８と換気ファン１３の吸込側とを連通する経路中にダンパー機構を有して通路を開閉する開閉装置２６を配設している。したがって換気ファン１３および除湿ファン５３が運転されている場合に開閉装置２６を開放状態に設定すると吸込口１８と排気ダクト１０および排気ダクト１２から本体７内に空気が吸い込まれ屋外に排出されるかもしくは浴室４内へ供給される。
【０１６０】
また、開閉装置２６を閉鎖状態に設定すると排気ダクト１０と排気ダクト１２から空気が吸い込まれ屋外に排出されるかもしくは浴室４内へ供給されることになる。したがって、換気ファン１３が運転されており浴室４と脱衣室５が隣接している場合、脱衣室５は排気ダクト１０と連通しているため負圧となる。これにより浴室４の暖房された空気が浴室４のドアに設けられたガラリを通って脱衣室５へ流入するため脱衣室５も暖房されることになる。
【０１６１】
また換気通路２５内の吸込口１８と換気ファン１３の吸込側とを連通する経路中にさらにダンパー機構を有して通路を開閉する開閉装置２７を配設している。したがって換気ファン１３が運転されている場合に開閉装置２７を開放状態に設定すると吸込口１８と排気ダクト１０および排気ダクト１２から本体７内に空気が吸い込まれ、後述する第二熱交換器を通過することなく直接換気ファン１３に吸い込まれることになる。
【０１６２】
また排気ダクト１０および排気ダクト１２の本体７との連接経路中に各々ダンパー機構を有して排気ダクト１０の通路を開閉する開閉装置２８および排気ダクト１２の通路を開閉する開閉装置２９を配設している。したがって換気ファン１３が運転されている場合に開閉装置２８もしくは開閉装置２９を閉鎖状態設定にすると脱衣室５もしくはトイレ６からは空気を吸い込まず、開閉装置２６、開閉装置２８および開閉装置２９のうち開放状態に設定された経路からのみ空気が吸い込まれることになる。このようにして換気ファン１３に吸い込まれた空気は、換気ファン１３の吹出側に接続されている排気ダクト８を通じて屋外に排出されることになる。
【０１６３】
また、換気ファン１３の吹出側に排気ダクト８と冷暖ダクト５５を配設し、排気ダクト８と冷暖ダクト５５の間にダンパー機構を有して通路を切り換える通路切換機構５６が配設されており、この通路切換機構を切り換えることにより換気ファン１３からの吹き出し空気を排気ダクト８を通じて屋外に排出するか冷暖ダクト５５を通じて脱衣室５やトイレ６等の居住空間へ供給するかを選択することができる。
【０１６４】
また通路切換機構５６の開度を設定することにより換気ファン１３からの吹き出し空気を任意に排気ダクト８と冷暖ダクト５５とに分配することができる。通路切換機構５６を任意の開度に設定することにより例えば換気ファン１３からの吹き出し空気の３割を排気ダクト８を通して屋外に排出し７割を冷暖ダクト５５を通して居住空間へ供給することができる。冷暖ダクト５５は本体７から脱衣室５やトイレ６等の居住空間に連通される。
【０１６５】
また、本体７内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路３２を形設しており、この冷媒回路３２中に、冷媒を圧縮する圧縮機３３、供給空気と冷媒とを熱交換させる第一熱交換器３４、冷媒を膨張させる電子式膨張弁からなる膨張機構３５、供給空気と冷媒とを熱交換させる第二熱交換器３６を介設している。この冷媒回路３２には、圧縮機３３で圧縮された冷媒が第一熱交換器３４、膨張機構３５、第二熱交熱交換器３６の順に流れて再び圧縮機３３に戻る経路（以下、暖房サイクル）と、圧縮機３３で圧縮された冷媒が第二熱交換器３６、膨張機構３５、第一熱交熱交換器３４の順に流れて再び圧縮機３３に戻る経路（以下、冷房サイクル）とを切り換えるための流路切換弁３７が介設されている。
【０１６６】
また、第一熱交換器３４および第二熱交換器３６の下方には水受皿３８および水受皿３９を配設し、水受皿３８、水受皿３９には水を排出するためのドレンポンプ４０およびドレンポンプ４１を配設している。
【０１６７】
また、冷媒回路３２には、流路切換弁３７と第一熱交換器３４を結ぶ配管中から分岐して膨張機構３５と第二熱交換器３６を結ぶ配管中に合流するバイパス回路４２と、第一熱交換器３４と膨張機構３５を結ぶ配管中から分岐して第二熱交換器３６と流路切換弁３７を結ぶ配管中に合流するバイパス回路４３を配管しており、バイパス回路４２中に開閉弁４４を介設するとともにバイパス回路４３中に開閉弁４５および冷媒加熱手段４６を介設している。この冷媒加熱手段４６には後述する冷媒加熱ヒーターや冷媒−水熱交換器を用いることができる。
【０１６８】
また、第一熱交換器３４は、循環通路２２内に配設されており、第二熱交換器３６は、換気通路２５内および除湿通路５２内に配設されている。したがって第一熱交換器３４においては循環ファン２３により循環する浴室４の空気に対して冷媒が放熱（または吸熱）を行い、第二熱交換器３６においては換気ファン１３により屋外に排出もしくは脱衣室５やトイレ６等の居住空間へ供給される空気および除湿ファン５３により浴室４内に吹き出される空気に対して冷媒が吸熱（もしくは放熱）を行うことになる。
【０１６９】
また、第一熱交換器３４の冷媒が流れる配管中には開閉弁４７とキャピラリーチューブ４８で構成される減圧手段４９を介設しており、第一熱交換器３４は、流路切換弁３７が冷媒の流れ方向を暖房サイクルに切り換えた場合に循環ファン２３により循環する浴室４の空気が第一熱交換器３４の減圧手段４９の下流側を流れる冷媒と熱交換した後に減圧手段４９の上流側を流れる冷媒と熱交換を行うように形設されている。さらに換気通路２５内の第二熱交換器３６の風上側には自己温度制御性を有する予熱ヒーター５０が配設されており、この予熱ヒーター５０を作動させると換気通路２５に吸い込まれた脱衣室５の空気やトイレ６の空気もくしは浴室４の空気を予め加熱して第二熱交換器３６に供給することができる。
【０１７０】
また、換気ファン１３は第二熱交換器３６の下流側に配設した形態となっているが上流側に配設してもよい。換気ファン１３を第二熱交換器３６の上流側に配設した場合は、開閉装置２７は換気ファン１３と第二熱交換器３６の間に配設し、この第二熱交換器３６に併設した風路への通過と、第二熱交換器３６への通過を切り換える構成とすればよい。
【０１７１】
また、除湿ファン５３は第二熱交換器３６の上流側に配設しても下流側に配設してもよく、また、循環ファン２３は第一熱交換器３４の上流側に配設しても下流側に配設してもよい。
【０１７２】
（実施の形態３）
図４は換気空調装置の風路構成図及び冷媒回路図であり、浴室４の天井裏に図に示す換気空調装置の本体７が設置されており、本体７の底部に浴室４の天井面に対して吸込口１８および吹出口１９および吹出口５７を開口するとともに吸込口１８に着脱自在に塵埃を捕捉するためのフィルター２０を配設している。
【０１７３】
また、吸込口１８の近傍には浴室４内の温度、湿度等の空気条件を検出するための温湿度検出装置２１を配設している。温湿度検出装置２１は例えばサーミスタを用いる。
【０１７４】
また、本体７内部には吸込口１８と吹出口１９を連通する循環通路２２が形設されており、この循環通路２２内に吸込口１８から浴室４の空気を吸い込んで吹出口１９から吹き出す循環ファン２３が配設されている。
【０１７５】
また、循環通路２２の吹出口１９近傍には、循環ファン２３が送風する空気の少なくとも一部を加熱する輻射式の補助ヒーター２４が設けられており、この補助ヒーター２４は放出する輻射熱が浴室４内に放散するように配設されている。
【０１７６】
また、本体７内部には吸込口１８と換気ファン１３の吸込側を連通する換気通路２５も形成しており、この換気通路２５に脱衣室５と連通している排気ダクト１０およびトイレ６と連通している排気ダクト１２が接続されている。
【０１７７】
また換気通路２５と吹出口５７を連通する除湿通路５８が形設されており、この除湿通路５８内に吸込口１８から浴室４の空気や排気ダクト１０および排気ダクト１２から脱衣室５およびトイレ６等の居住空間の空気を吸い込んで吹出口５７から吹き出す除湿ファン５３が配設されている。さらに第一熱交換器３４と除湿ファン５３の間および第二熱交換器３６と除湿ファン５３の間にダンパー機構を有して通路を開閉する開閉装置５９および開閉装置６０を配設している。
【０１７８】
さらに吸込口１８と換気通路２５内とを連通する経路中にダンパー機構を有して通路を開閉する開閉装置２６を配設している。したがって換気ファン１３および除湿ファン５３が運転されている場合に開閉装置２６を開放状態に設定すると吸込口１８と排気ダクト１０および排気ダクト１２から本体７内に空気が吸い込まれ屋外に排出されるかもしくは浴室４内へ供給されることになる。
【０１７９】
また、開閉装置２６を閉鎖状態に設定すると排気ダクト１０と排気ダクト１２から空気が吸い込まれ屋外に排出されるかもしくは浴室４内へ供給されることになる。したがって、換気ファン１３が運転されており浴室４と脱衣室５が隣接している場合、脱衣室５は排気ダクト１０と連通しているため負圧となる。これにより浴室４の暖房された空気が浴室４のドアに設けられたガラリを通って脱衣室５へ流入するため脱衣室５も暖房されることになる。
【０１８０】
また換気通路２５内と換気ファン１３の吸込側とを連通する経路中にさらにダンパー機構を有して通路を開閉する開閉装置２７を配設している。したがって換気ファン１３が運転されている場合に開閉装置２７を開放状態に設定すると吸込口１８と排気ダクト１０および排気ダクト１２から本体７内に空気が吸い込まれ、後述する第二熱交換器を通過することなく直接換気ファン１３に吸い込まれることになる。
【０１８１】
また排気ダクト１０および排気ダクト１２の本体７との連接経路中に各々ダンパー機構を有して排気ダクト１０の通路を開閉する開閉装置２８および排気ダクト１２の通路を開閉する開閉装置２９を配設している。したがって換気ファン１３および除湿ファン５３が運転されている場合に開閉装置２８もしくは開閉装置２９を閉鎖状態設定にすると脱衣室５もしくはトイレ６からは空気を吸い込まず、開閉装置２６、開閉装置２８および開閉装置２９のうち開放状態に設定された経路からのみ空気が吸い込まれることになる。このようにして換気ファン１３に吸い込まれた空気は、換気ファン１３の吹出側に接続されている排気ダクト８を通じて屋外に排出されることになる。
【０１８２】
また、除湿ファン５３の吹出側に冷暖ダクト６１を配設し、除湿通路５８と冷暖ダクト６１の間にダンパー機構を有して通路を切り換える通路切換機構６２が配設されており、この通路切換機構を切り換えることにより除湿ファン５３からの吹き出し空気を除湿通路５８を通じて浴室４内に供給するか冷暖ダクト６１を通じて脱衣室５やトイレ６等の居住空間へ供給するかを選択することができる。
【０１８３】
また通路切換機構６２の開度を設定することにより除湿ファン５３からの吹き出し空気を任意に除湿通路５８と冷暖ダクト６１とに分配することができる。通路切換機構６２を任意の開度に設定することにより例えば除湿ファン５３からの吹き出し空気の３割を除湿通路５８を通して浴室４へ供給し７割を冷暖ダクト６１を通して居住空間へ供給することができる。冷暖ダクト６１は本体７から脱衣室５やトイレ６等の居住空間に連通される。
【０１８４】
また、本体７内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路３２を形設しており、この冷媒回路３２中に、冷媒を圧縮する圧縮機３３、供給空気と冷媒とを熱交換させる第一熱交換器３４、冷媒を膨張させる電子式膨張弁からなる膨張機構３５、供給空気と冷媒とを熱交換させる第二熱交換器３６を介設している。この冷媒回路３２には、圧縮機３３で圧縮された冷媒が第一熱交換器３４、膨張機構３５、第二熱交熱交換器３６の順に流れて再び圧縮機３３に戻る経路（以下、暖房サイクル）と、圧縮機３３で圧縮された冷媒が第二熱交換器３６、膨張機構３５、第一熱交熱交換器３４の順に流れて再び圧縮機３３に戻る経路（以下、冷房サイクル）とを切り換えるための流路切換弁３７が介設されている。
【０１８５】
また、第一熱交換器３４および第二熱交換器３６の下方には水受皿３８および水受皿３９を配設し、水受皿３８、水受皿３９には水を排出するためのドレンポンプ４０およびドレンポンプ４１を配設している。
【０１８６】
また、冷媒回路３２には、流路切換弁３７と第一熱交換器３４を結ぶ配管中から分岐して膨張機構３５と第二熱交換器３６を結ぶ配管中に合流するバイパス回路４２と、第一熱交換器３４と膨張機構３５を結ぶ配管中から分岐して第二熱交換器３６と流路切換弁３７を結ぶ配管中に合流するバイパス回路４３を配管しており、バイパス回路４２中に開閉弁４４を介設するとともにバイパス回路４３中に開閉弁４５および冷媒加熱手段４６を介設している。この冷媒加熱手段４６には後述する冷媒加熱ヒーターや冷媒−水熱交換器を用いることができる。
【０１８７】
また、圧縮機３３は駆動周波数可変のものを使用してもよい。
【０１８８】
また、第一熱交換器３４は、循環通路２２内および除湿通路５８内に配設されており、第二熱交換器３６は、換気通路２５内および除湿通路５８内に配設されている。したがって第一熱交換器３４においては循環ファン２３により循環する浴室４の空気もしくは脱衣室５やトイレ６等の居住空間へ供給される空気および除湿ファン５３により浴室４内に吹き出される空気に対して冷媒が放熱（または吸熱）を行い、第二熱交換器３６においては換気ファン１３により屋外に排出される空気もしくは脱衣室５やトイレ６等の居住空間へ供給される空気および除湿ファン５３により浴室４内に吹き出される空気に対して冷媒が吸熱（もしくは放熱）を行うことになる。
【０１８９】
また、第一熱交換器３４の冷媒が流れる配管中には開閉弁４７とキャピラリーチューブ４８で構成される減圧手段４９を介設しており、第一熱交換器３４は、流路切換弁３７が冷媒の流れ方向を暖房サイクルに切り換えた場合に循環ファン２３により循環する浴室４の空気および除湿ファン５３により浴室４に循環する空気もしくは冷暖ダクト６１へ供給される空気が第一熱交換器３４の減圧手段４９の下流側を流れる冷媒と熱交換した後に減圧手段４９の上流側を流れる冷媒と熱交換を行うように形設されている。さらに換気通路２５内の第二熱交換器３６の風上側には自己温度制御性を有する予熱ヒーター５０が配設されており、この予熱ヒーター５０を作動させると換気通路２５に吸い込まれた脱衣室５の空気やトイレ６の空気もくしは浴室４の空気を予め加熱して第二熱交換器３６に供給することができる。
【０１９０】
また、換気ファン１３は第二熱交換器３６の下流側に配設した形態となっているが上流側に配設してもよい。換気ファン１３を第二熱交換器３６の上流側に配設した場合は、開閉装置２７は換気ファン１３と第二熱交換器３６の間に配設し、この第二熱交換器３６に併設した風路への通過と、第二熱交換器３６への通過を切り換える構成とすればよい。
【０１９１】
また、除湿ファン５３は第二熱交換器３６および第一熱交換器３４の上流側に配設しても下流側に配設してもよく、また、循環ファン２３は第一熱交換器３４の上流側に配設しても下流側に配設してもよい。
【０１９２】
（実施の形態４）
図５は換気空調装置の風路構成図及び冷媒回路図であり、浴室４の天井裏に図に示す換気空調装置の本体７が設置されており、本体７の底部に浴室４の天井面に対して吸込口１８および吹出口１９および吹出口５１を開口するとともに吸込口１８に着脱自在に塵埃を捕捉するためのフィルター２０を配設している。
【０１９３】
また、吸込口１８の近傍には浴室４内の温度、湿度等の空気条件を検出するための温湿度検出装置２１を配設している。温湿度検出装置２１は例えばサーミスタを用いる。
【０１９４】
また、本体７内部には吸込口１８と吹出口１９を連通する循環通路２２が形設されており、この循環通路２２内に吸込口１８から浴室４の空気を吸い込んで吹出口１９から吹き出す循環ファン２３が配設されている。
【０１９５】
また、循環通路２２の吹出口１９近傍には、循環ファン２３が送風する空気の少なくとも一部を加熱する輻射式の補助ヒーター２４が設けられており、この補助ヒーター２４は放出する輻射熱が浴室４内に放散するように配設されている。
【０１９６】
また、吸込口１８と脱衣室５やトイレ６等の居住空間と連通している冷暖ダクト６３との間に冷暖通路６４が形設されており、この冷暖通路６４内に吸込口１８から浴室４の空気を吸い込んで脱衣室５やトイレ６へ連通する冷暖ダクト６３へ吹き出す冷暖ファン６５が配設されている。冷暖通路６４内の冷暖ファン６５の吸込み側にダンパー機構を有して通路を開閉する開閉装置６６を配設し、冷暖ファン６５停止時には閉鎖状態に設定することにより循環ファン２３が運転している場合に脱衣室５やトイレ６等の居住空間に連通している冷暖ダクト６３からの空気の吸い込みを防止する。
【０１９７】
また、本体７内部には吸込口１８と換気ファン１３の吸込側を連通する換気通路２５も形成しており、この換気通路２５に脱衣室５と連通している排気ダクト１０およびトイレ６と連通している排気ダクト１２が接続されている。
【０１９８】
また換気通路２５に吸込口１８と吹出口５１を連通する除湿通路５２が形設されており、この除湿通路５２内に吸込口１８から浴室４の空気や排気ダクト１０および排気ダクト１２から脱衣室５およびトイレ６等の居住空間の空気を吸い込んで吹出口５１から吹き出す除湿ファン５３が配設されている。さらに除湿ファン５３と吹出口５１の間にダンパー機構を有して通路を開閉する開閉装置５４を配設し除湿ファン５３が停止している場合は開閉装置５４を閉鎖状態に設定することにより換気ファン１３が運転している場合に吹出口５１からの空気の吸込みを防止する。さらに換気通路２５内の吸込口１８と換気ファン１３の吸込側とを連通する経路中にダンパー機構を有して通路を開閉する開閉装置２６を配設している。したがって換気ファン１３および除湿ファン５３が運転されている場合に開閉装置２６を開放状態に設定すると吸込口１８と排気ダクト１０および排気ダクト１２から本体７内に空気が吸い込まれ屋外に排出されるかもしくは浴室４内へ供給される。
【０１９９】
また、開閉装置２６を閉鎖状態に設定すると排気ダクト１０と排気ダクト１２から空気が吸い込まれ屋外に排出されるかもしくは浴室４内へ供給されることになる。したがって、換気ファン１３が運転されており浴室４と脱衣室５が隣接している場合、脱衣室５は排気ダクト１０と連通しているため負圧となる。これにより浴室４の暖房された空気が浴室４のドアに設けられたガラリを通って脱衣室５へ流入するため脱衣室５も暖房されることになる。
【０２００】
また換気通路２５内の吸込口１８と換気ファン１３の吸込側とを連通する経路中にさらにダンパー機構を有して通路を開閉する開閉装置２７を配設している。したがって換気ファン１３が運転されている場合に開閉装置２７を開放状態に設定すると吸込口１８と排気ダクト１０および排気ダクト１２から本体７内に空気が吸い込まれ、後述する第二熱交換器を通過することなく直接換気ファン１３に吸い込まれることになる。
【０２０１】
また排気ダクト１０および排気ダクト１２の本体７との連接経路中に各々ダンパー機構を有して排気ダクト１０の通路を開閉する開閉装置２８および排気ダクト１２の通路を開閉する開閉装置２９を配設している。したがって換気ファン１３および除湿ファン５３が運転されている場合に開閉装置２８もしくは開閉装置２９を閉鎖状態設定にすると脱衣室５もしくはトイレ６からは空気を吸い込まず、開閉装置２６、開閉装置２８および開閉装置２９のうち開放状態に設定された経路からのみ空気が吸い込まれることになる。このようにして換気ファン１３に吸い込まれた空気は、換気ファン１３の吹出側に接続されている排気ダクト８を通じて屋外に排出されることになる。
【０２０２】
また、換気ファン１３の吹出側に排気ダクト８と冷暖ダクト５５を配設し、排気ダクト８と冷暖ダクト５５の間にダンパー機構を有して通路を切り換える通路切換機構３０が配設されており、この通路切換機構を切り換えることにより換気ファン１３からの吹き出し空気を排気ダクト８を通じて屋外に排出するか冷暖ダクト５５を通じて脱衣室５やトイレ６等の居住空間へ供給するかを選択することができる。
【０２０３】
また通路切換機構３０の開度を設定することにより換気ファン１３からの吹き出し空気を任意に排気ダクト８と冷暖ダクト５５とに分配することができる。通路切換機構３０を任意の開度に設定することにより例えば換気ファン１３からの吹き出し空気の３割を排気ダクト８を通して屋外に排出し７割を冷暖ダクト５５を通して居住空間へ供給することができる。冷暖ダクト５５および冷暖ダクト６３は本体７から脱衣室５やトイレ６等の居住空間に連通される。
【０２０４】
また、換気ファン１３および除湿ファン５３は第二熱交換器３６の上流側に配設しても下流側に配設してもよく、また、循環ファン２３および冷暖ファン６５は第一熱交換器３４の上流側に配設しても下流側に配設してもよい。
【０２０５】
また、本体７内部に、冷媒として例えば、ＨＣＦＣ系冷媒（分子中に塩素、水素、フッ素、炭素の各原子を含む）、ＨＦＣ系冷媒（分子中に水素、炭素、フッ素の各原子を含む）、炭化水素、二酸化炭素等の自然冷媒などの何れかを充填した冷媒回路３２を形設しており、この冷媒回路３２中に、冷媒を圧縮する圧縮機３３、供給空気と冷媒とを熱交換させる第一熱交換器３４、冷媒を膨張させる電子式膨張弁からなる膨張機構３５、供給空気と冷媒とを熱交換させる第二熱交換器３６を介設している。この冷媒回路３２には、圧縮機３３で圧縮された冷媒が第一熱交換器３４、膨張機構３５、第二熱交熱交換器３６の順に流れて再び圧縮機３３に戻る経路（以下、暖房サイクル）と、圧縮機３３で圧縮された冷媒が第二熱交換器３６、膨張機構３５、第一熱交熱交換器３４の順に流れて再び圧縮機３３に戻る経路（以下、冷房サイクル）とを切り換えるための流路切換弁３７が介設されている。
【０２０６】
また、第一熱交換器３４および第二熱交換器３６の下方には水受皿３８および水受皿３９を配設し、水受皿３８、水受皿３９には水を排出するためのドレンポンプ４０およびドレンポンプ４１を配設している。
【０２０７】
また、冷媒回路３２には、流路切換弁３７と第一熱交換器３４を結ぶ配管中から分岐して膨張機構３５と第二熱交換器３６を結ぶ配管中に合流するバイパス回路４２と、第一熱交換器３４と膨張機構３５を結ぶ配管中から分岐して第二熱交換器３６と流路切換弁３７を結ぶ配管中に合流するバイパス回路４３を配管しており、バイパス回路４２中に開閉弁４４を介設するとともにバイパス回路４３中に開閉弁４５および冷媒加熱手段４６を介設している。この冷媒加熱手段４６には後述する冷媒加熱ヒーターや冷媒−水熱交換器を用いることができる。
【０２０８】
また、第一熱交換器３４は、循環通路２２内および冷暖通路６４内に配設されており、第二熱交換器３６は、換気通路２５内および除湿通路５２内に配設されている。したがって第一熱交換器３４においては循環ファン２３により循環する浴室４の空気もしくは冷暖ファン６５により脱衣室５やトイレ６等の居住空間へ供給される空気に対して冷媒が放熱（または吸熱）を行い、第二熱交換器３６においては換気ファン１３により屋外に排出もしくは脱衣室５やトイレ６等の居住空間へ供給される空気および除湿ファン５３により浴室４内に吹き出される空気に対して冷媒が吸熱（もしくは放熱）を行うことになる。
【０２０９】
また、第一熱交換器３４の冷媒が流れる配管中には開閉弁４７とキャピラリーチューブ４８で構成される減圧手段４９を介設しており、第一熱交換器３４は、流路切換弁３７が冷媒の流れ方向を暖房サイクルに切り換えた場合に循環ファン２３により循環する浴室４の空気および冷暖ファン６５により冷暖ダクト６３へ供給される空気が第一熱交換器３４の減圧手段４９の下流側を流れる冷媒と熱交換した後に減圧手段４９の上流側を流れる冷媒と熱交換を行うように形設されている。さらに換気通路２５内の第二熱交換器３６の風上側には自己温度制御性を有する予熱ヒーター５０が配設されており、この予熱ヒーター５０を作動させると換気通路２５に吸い込まれた脱衣室５の空気やトイレ６の空気もくしは浴室４の空気を予め加熱して第二熱交換器３６に供給することができる。
【０２１０】
また、換気ファン１３は第二熱交換器３６の下流側に配設した形態となっているが上流側に配設してもよい。換気ファン１３を第二熱交換器３６の上流側に配設した場合は、開閉装置２７は換気ファン１３と第二熱交換器３６の間に配設し、この第二熱交換器３６に併設した風路への通過と、第二熱交換器３６への通過を切り換える構成とすればよい。
【０２１１】
また、除湿ファン５３は第二熱交換器３６の上流側に配設しても下流側に配設してもよく、また、循環ファン２３は第一熱交換器３４の上流側に配設しても下流側に配設してもよく、また冷暖ファン６５は第一熱交換器３４の上流側に配設しても下流側に配設してもよい。
【０２１２】
図６は、冷媒加熱手段４６に採用できる冷媒加熱ヒーターの概略構成図であり、図に示すように冷媒加熱ヒーター６７は、冷媒を通す冷媒配管をコイル状に巻いて形設した冷媒管路６８と、コイル状の冷媒管路６８の内周側にＵ字状に形設した電熱管６９と、冷媒管路６８の入口部７０および出口部７１と電熱管６９の端子部７２を除いた表面を全て覆うようにアルミなどの金属材料を鋳造して中実円筒状に形成された伝熱筒７３から構成されている。
【０２１３】
そして電熱管６９の端子部７２に所定の電圧を印加すると電熱管６９が発熱し、この熱が伝熱筒７３内を伝導して電熱管６９の外周に配設された冷媒管路６８を加熱する。冷媒管路６８内には入口部７０から冷媒が導入され、冷媒管路６８の外周が伝熱筒７３で覆われたコイル状の部分を流れる過程で伝熱筒７３を介して加熱されて出口部７１に導かれる。このようにして冷媒加熱ヒーター６７は冷媒を加熱するものであるが、伝熱筒７３の中芯部に配設された電熱管６９が、その外周方向に配設された冷媒管路６８に対して発熱するため外部への熱漏洩が少なくなるとともに、電熱管６９が発した熱が伝熱筒７３を伝導して均一に冷媒管路６８を加熱することができるため加熱効率が向上して冷媒加熱手段４６の小型化を可能にしている。
【０２１４】
図７は、冷媒加熱手段４６に採用できる冷媒−水熱交換器の概略断面図であり、図に示すように冷媒−水熱交換器７４は、ヒートポンプ式給湯機７５からの給湯水が流れる給湯管路７６の内部に冷媒が流れる冷媒管路７７を配設した二重管構造の熱交換器となっている。冷媒管路７７は、給湯管路７６の内部において二分岐され、分岐した各々が螺旋状に捩れ合うツイスト状に形設されており、これにより伝熱面積を増加させて熱交換効率の向上を図っている。そして給湯管路７６の給湯流入部７８から冷媒−水熱交換器７４内に流入した給湯水は、冷媒管路７７の外周を流れて給湯流出部７９から冷媒−水熱交換器７４外部に流出し、給湯流出部７９の下方にあるドレンパン８０に滴下する。
【０２１５】
このドレンパン８０は、第一熱交換器３４および第二熱交換器３６に結露したドレン水のドレン受けも兼ねており、ドレンパン８０に滴下した給湯水は、第一熱交換器３４および第二熱交換器３６に結露したドレン水とともに排水管８１から本体７外部に排水される。一方、冷媒管路７７の冷媒流入部８２から冷媒−水熱交換器７４内に流入した冷媒は、給湯水の流れに対向する向きで捩れ構造のツイスト管８３に各々分岐して流れ、この過程で給湯水との熱交換により加熱されて冷媒流出部８４から流出することになる。
【０２１６】
この冷媒加熱に用いられる給湯水は、ヒートポンプ式給湯機７５において大気の熱を利用して沸かされた温水であるため、冷媒加熱手段４６の加熱効率が向上されるとともにランニングコストが安価にできる。また、給湯管路７６に給湯機で沸かした高温の温水ではなく、常温の給水をそのまま供給することもできる。この場合に流路切換弁３７を冷房サイクル側に切り換えて開閉弁４４を開放状態に設定すれば、冷媒管路７７に圧縮機３３で圧縮された高温高圧の冷媒が供給され常温水との熱交換の過程において冷媒を冷却することも可能となる。
【０２１７】
（実施の形態５）
図８は、換気空調装置の設置図であり、居住空間Ａ１の天井裏に換気空調装置の本体７が設置されており、本体７に接続される排気ダクト１０は床下空間８５と連通しており、吸気口８７から吸い込まれた床下空間８５の空気を本体７へ吸入する。
【０２１８】
また、本体７に接続される排気ダクト１２は天井裏空間８６と連通しており、吸い込まれた天井裏空間８６の空気を本体７へ吸入する。本体７へ吸入された空気は本体７内部で熱交換された後に排気ダクト８を通って屋外へ排出されるか、もしくは除湿空気として冷暖ダクト６１、吹出口８８を通って床下空間８５へ吹出されるか、冷暖ダクト６１の中間に配設された通路切換機構８９を切り換えることにより天井裏空間８６へ吹き出される。通路切換機構８９の開度を調整することにより床下空間８５と天井裏空間８６に吹き出す除湿空気の量を変更する。
【０２１９】
また、本体７と床下空間８５とを連通させる排気ダクト１０や冷暖ダクト６１は住居の内壁とユニットバスの外壁の間を通し、浴室近傍の床下空間（８５）へ接続することにより、住居の床下空間（８５）の中でも湿気の滞留しやすい浴室や洗面所などの水使用機器近傍の床下空間（８５）を集中的に換気や除湿する。
【０２２０】
また、本体７と排気ダクト１０、１２の接続部分に着脱自在に塵埃を補足するためのフィルターを配設し、本体７より着脱して掃除等のメンテナンスを可能としている。
【０２２１】
また、本体７と排気ダクト１０、１２との接続部に温湿度検出手段９２、９３を配設し、床下空間８５や天井裏空間８６から吸込まれる空気の温度と湿度を検知することにより、床下空間８５や天井裏空間８６の換気や除湿の必要性を判断し、換気運転や除湿運転が必要な場合に効率良く運転を行なう。
【０２２２】
以上、説明した構成および動作により、本実施形態の浴室空調装置は、以下の効果を奏するものである。
【０２２３】
第二熱交換器（３６）において、換気ファン（１３）によって屋外に排出される居住空間Ａ（１）、例えば浴室（４）と浴室（４）以外の空間である居住空間Ｂ（２）、例えば脱衣室（５）やトイレ（６）の空気から冷媒が吸熱し、第一熱交換器（３４）において、循環ファン（２３）によって、居住空間Ａ（１）、例えば浴室（４）内を循環する空気に冷媒が放熱することにより、ヒートポンプを動作させて浴室（４）の暖房させ、第二熱交換器（３６）を通過する空気のエンタルピーが屋外の空気より高いため、冷媒の蒸発能力が増大し、結果的に暖房能力を大きくもしくは、第二熱交換器（３６）を小型化できる。また、第二熱交換器（３６）で冷却し、水分を凝縮排水した空気を通路切換機構（３０）を切替えることにより、屋外ではなく、浴室（４）へ第二熱交換器（３６）を通過し、冷却・除湿された空気が吹き出されるため、第一熱交換器（３４）により加熱された空気と合流して、浴室（４）の温度が大きく上昇しないで除湿でき、消費エネルギーを少なくして浴室乾燥や衣類乾燥に最適な温湿度にできる。
【０２２４】
また、浴室（４）の天井裏などに設置した換気空調装置内部に冷媒回路（３２）を構成する圧縮機（３３）、第一熱交換器（３４）、膨張機構（３５）、第二熱交換器（３６）が全て収納されることにより、屋外に室外機を置くスペースが不要となり、また、施工時に冷媒配管工事をする必要もなくなり、省スペース化と施工性の向上が図られる。
【０２２５】
また、第二熱交換器（３６）で冷却された空気を第一熱交換器（３４）の風路の上流側に流すことにより、浴室（４）の温度が高温になった場合などに、第一熱交換器（３４）の冷媒の圧力を下げて、圧縮機（３３）などの長期信頼性を向上でき、吹出す空気の温湿度も均一で浴室乾燥や衣類乾燥のムラが減少できる。
【０２２６】
また、第二熱交換器（３６）で熱交換された空気を屋外と浴室（４）または、第一熱交換器（３４）の風路の上流側に吹き出す風量を各々調整することにより、浴室（４）の温度を調整して快適性を向上させながら、浴室（４）や脱衣室（５）やトイレ（６）からの換気風量も調整して空気質も向上できる。
【０２２７】
また、浴室（４）や脱衣室（５）やトイレ（６）からの換気運転時には、第二熱交換器（３６）をバイパスさせることにより、器内抵抗を減らし、換気ファン（１３）の入力を減少できる。
【０２２８】
また、暖房時や入浴中に、開閉装置（２６）を閉じることにより、脱衣室（５）やトイレ（６）からの換気は継続しながら、浴室（４）からの換気を停止でき、浴室（４）を暖房した空気を排出せずに効率よく浴室（４）を空調することができ、入浴中のドラフト感を低減できる。
【０２２９】
また、トイレ（６）の換気時に、換気ファン（１３）で吸い込んだ空気を全て屋外に排出することにより、トイレ（６）から浴室（４）や脱衣室（５）への臭いの移行を防止できる。
【０２３０】
また、暖房運転時や浴室（４）以外の換気運転時に浴室（４）と隣接した脱衣室（５）の開閉装置（２８，２９）を閉じることにより、浴室（４）が入浴中で高湿時に、脱衣室（５）を負圧にしないことにより、浴室（４）からの湿度の移行を防止できる。
【０２３１】
また、浴室（４）と換気ファン（１３）または第二熱交換器（３６）との間に開閉装置（２６）を設け、浴室（４）と浴室（４）と隣接した脱衣室（５）をあわせて暖房、除湿、乾燥、冷房運転などする場合に、前記開閉装置（２６）を閉じて、脱衣室の換気を行うことにより、浴室（４）に吹き出された暖房、除湿、乾燥、冷房空気などが、浴室（４）のギャラリを通って、隣接し、負圧になった脱衣室（５）に流れ、脱衣室（５）も暖房、除湿、乾燥、冷房運転などができる。
【０２３２】
また、第一熱交換器（３４）を通る空気を浴室（４）に吹き出す循環ファン（２３）と第二熱交換器（３６）を通る空気を浴室（４）に吹き出す除湿ファン（５３）を設け、前記循環ファン（２３）と前記除湿ファン（５３）の運転組み合わせにより、浴室（４）に吹き出される空気の温湿度を制御して、目的に応じた最適な空間とすることができる。
【０２３３】
また、第二熱交換器（３６）で熱交換した空気を屋外と脱衣室（５）に吹き出す風量を各々調整する通路切換機構（５６）を備え、前記第二熱交換器（３６）で熱交換された空気の一部を前記脱衣室（５）を冷却することに用い、一部を屋外に排気することにより、浴室（４）を暖房しながら、脱衣室（５）を冷房できる。
【０２３４】
また、第一熱交換器（３４）と第二熱交換器（３６）にそれぞれ循環ファン（２３）と除湿ファン（５３）を設け、前記除湿ファン（５３）は浴室（４）または脱衣室（５）に吹出し、前記第一熱交換器（３４）の風路とも連通することにより、浴室（４）を暖房しながら脱衣室（５）を冷房できる以外に、浴室（４）と脱衣室（５）を同時に暖房できる。
【０２３５】
また、第一熱交換器（３４）または第二熱交換器（３６）で熱交換した空気を浴室（４）と脱衣室（５）に吹き出す風量を各々調整する通路切換機構（６２）を備え、前記第一熱交換器（３４）または、第二熱交換器（３６）で熱交換された空気の一部を前記浴室（４）または脱衣室（５）を暖房または冷房することに用いることにより、浴室（４）と脱衣室（５）を最適に空調できる。
【０２３６】
また、第一熱交換器（３４）用の循環ファン（２３）と冷暖ファン（６５）、第二熱交換器（３６）用の除湿ファン（５３）と換気ファン（１３）をそれぞれ設け、浴室（４）と脱衣室（５）とトイレ（６）と屋外への吹出し風量や温湿度を制御することにより、浴室（４）と脱衣室（５）とトイレ（６）最適に空調できる。
【０２３７】
また、冷媒の流れ方向を変える流路切換弁（３７）を設け、浴室（４）または脱衣室（５）の常温室内空気で第二熱交換器（３６）の高温高圧冷媒が放熱し、第一熱交換器（３４）がより効率的に浴室の空気から吸熱することにより、浴室の冷房運転の熱効率を更に向上させることができる。
【０２３８】
また、第一熱交換器（３４）の配管中に減圧手段（４９）を設け、前記減圧手段（４９）の下流側で吸熱した後、上流側で放熱して、浴室（４）内を除湿することにより、第一熱交換器（３４）で除湿した空気を浴室（４）外部に漏洩させずに効率的に浴室（４）を除湿することができる。
【０２３９】
また、浴室（４）内を空調する場合に、吸気口（９，１１）が開口した浴室（４）以外の室内空間を換気する場合に対し、換気ファン（１３）の風量を増加させることにより、第二熱交換器（３６）における吸熱量もしくは放熱量を増加させて十分な空調能力を得ることができる。
【０２４０】
また、浴室（４）以外に設置された空調機（１５）によって空調された空調空気を吸気口（９，１１）から吸込んで第二熱交換器（３６）に供給することにより、浴室（４）以外で発生した空調機（１５）の熱エネルギーを回収して熱効率を更に向上することができる。
【０２４１】
また、浴室（４）を乾燥する場合に、第二熱交換器（３６）において換気通路（２５）を通って屋外に排出される浴室（４）の空気からも冷媒が吸熱することにより、第一熱交換器（３４）において浴室（４）の空気に放熱された熱も回収して乾燥効率の向上を図ることができる。
【０２４２】
また、換気通路（２５）を、吸込口（１８）を介して浴室（４）内と連通させることにより、換気通路（２５）の吸込部分を吸込口（１８）と共用化して除塵フィルターの個数を低減することができる。
【０２４３】
また、補助ヒーター（２４）で循環ファン（２３）が送風する空気の少なくとも一部を加熱することにより、低温環境における暖房能力不足を補填することができる。
【０２４４】
また、補助ヒーター（２４）の輻射熱を浴室（４）内に放散することにより、入浴時のドラフト感を減らし快適性を向上することができる。
【０２４５】
また、予熱ヒーター（５０）で第二熱交換器（３６）に供給される前の空気を予熱することにより、低温環境における暖房能力の低下や第二熱交換器（３６）への着霜の抑制することができ、また、付着した霜の除去を行うことができる。
【０２４６】
また、低温時に第一熱交換器（３４）もしくは第二熱交換器（３６）に霜が付着した場合に冷媒温度に基づいて流路切換弁（３７）を切り換えることにより、付着した霜の除去を行うことができる。
【０２４７】
また、低温時に第二熱交換器（３６）に霜が付着した場合に冷媒回路（３２）の高圧側と低圧側をバイパス回路（４２、４３）を通じて開放し、高温の冷媒を第二熱交換器（３６）に流通させる若しくは第二熱交換器（３６）内の冷媒圧力を上昇させることにより、付着した霜の除去を行うことができる。
【０２４８】
また、冷媒加熱手段（４６）を第二熱交換器（３６）と直列もしくは並列となるように冷媒回路（３２）中に介在させ、第二熱交換器（３６）に霜が付着するなど吸熱能力が低下した場合において、冷媒加熱手段（４６）を作動させることにより、吸熱能力を確保して暖房能力を維持することができる。
【０２４９】
また、冷媒加熱手段（４６）に、電熱によって冷媒を加熱する冷媒加熱ヒーター（６７）を用いることにより、冷媒加熱手段（４６）の小型化を図ることができる。
【０２５０】
また、冷媒加熱手段（４６）に、給湯水との熱交換によって冷媒を加熱する冷媒−水熱交換器（７４）を用いることにより、冷媒加熱手段（４６）での電力使用量を削減することができる。
【０２５１】
また、冷媒−水熱交換器（７４）に供給する給湯水に、ヒートポンプ式給湯機で沸かされた湯を用いることにより、冷媒加熱手段（４６）の電力使用量を更に削減することができる。
【０２５２】
また、冷媒−水熱交換器（７４）で冷媒との熱交換をした後の給湯水を排水する場合に、第一熱交換器（３４）あるいは第二熱交換器（３６）に生じた結露水を排水する排水経路を利用することにより、排水経路数を増やさずに施工を簡略化することができる。
【０２５３】
また、夏場などの高温時に放熱能力が不足した場合に冷媒−水熱交換器（７４）に供給される常温水に対して冷媒が放熱するように構成することにより、放熱不足を解消して冷房能力を維持することができる。
【０２５４】
また、冷媒−水熱交換器（７４）で冷媒との熱交換をした後の給湯水と第一熱交換器（３４）あるいは第二熱交換器（３６）に生じた結露水を排水する排水経路内にドレンポンプ（４０、４１）を備えることにより、より高い排水高さが保持でき、排水の熱の再利用や排水の再蒸発により、省施工と省エネが図れる。
【０２５５】
また、圧縮機（３３）を駆動周波数可変とし、除湿運転時は暖房運転時より駆動周波数を同等以下とすることにより、浴室（４）内の温度上昇を抑え、電力使用量を更に削減することができる。
【０２５６】
また、膨張機構（３５）を電子制御膨張弁とし、運転モード、圧縮機（３３）の駆動周波数、室内温度、循環ファン（２３）の回転数、換気ファン（１３）の回転数などに対応して制御することにより、浴室（４）内の温湿度を快適にしながら、電力使用量を更に削減することができる。
【０２５７】
また、排気ダクト（１０）または排気ダクト（１２）のいずれか、もしくは両方を非居住空間である床下空間（８５）や天井裏空間（８６）に連通させることにより、床下空間（８５）や天井裏空間（８６）から空気を吸い込んで屋外に排気することにより、床下空間（８５）や天井裏空間（８６）の換気を行なうことができる。
【０２５８】
また、冷暖ダクト（６１）を床下空間（８５）に連通させることにより、除湿された空気を床下空間（８５）に供給することにより、床下空間（８５）の除湿を行なうことができる。
【０２５９】
また、冷暖ダクト（６１）を天井裏空間（８６）に連通させることにより、除湿された空気を天井裏空間（８６）に供給することにより、天井裏空間（８６）の除湿を行なうことができる。
【０２６０】
また、冷暖ダクト（６１）から床下空間（８５）と天井裏空間（８６）に吹き出す風量を調整する通路切換機構（８９）を備え、除湿された空気の一部を床下空間（８５）に供給し、一部を天井裏空間（８６）に供給することにより、床下空間（８５）と天井裏空間（８６）を同時に除湿することができる。
【０２６１】
また、本体（７）から床下空間（８５）へ引き回す冷暖ダクト（６１）や排気ダクト（１０）を住居の内壁とユニットバスの外壁の間を通し、浴室近傍の床下空間（８５）へ接続することにより、住居の床下空間（８５）の中でも湿気の滞留しやすい浴室や洗面所などの水使用機器近傍の床下空間（８５）を集中的に換気や除湿することができる。
【０２６２】
また、本体（７）と排気ダクト（１０、１２）との接続部に配設した温湿度検知手段（９２、９３）により、排気ダクト（１０、１２）が接続された空間、例えば床下空間（８５）や天井裏空間（８６）の温湿度条件を検知し、検知した温湿度に対応して圧縮機（３３）の駆動周波数、膨張機構（３５）、循環ファン（２３）の回転数、換気ファン（１３）の回転数を制御することにより、除湿運転が必要なときに効率よく運転を行なうことができる。
【０２６３】
以上説明した内容は、発明を実施するための一形態についてのみ説明したものであり、本発明は上記実施の形態に限定されるものではない。
【０２６４】
例えば、上記実施の形態では、空調する室内空間を浴室４とし、吸気口を開口した室内空間を脱衣室５およびトイレ６としたが、空調空間および吸気口を開口する空間は、居住空間内において区画された空間であれば良く、上記に限定されるものではない。即ち、空調空間をリビング、吸気口を開口する空間を浴室などに設定しても良い。
【０２６５】
また、上記実施の形態では、吸気口を脱衣室５およびトイレ６の２箇所に開口する構成を示したが、排気口を開口位置および数はこれに限定されるものではない。例えばトイレ１箇所のみに吸気口を開口する構成としても良い。
【０２６６】
また、上記実施の形態では、設置位置を天井裏とし本体を隠蔽した形態としたが、設置位置は天井裏に限定するものではなく壁掛け型や床置き型など他の形態としても良い。
【０２６７】
また、上記実施の形態では、吸気口９、１１と本体７の吹出口１９、５１、５７、は異なる居住空間に開口しているが、上記に限定されるものではない。即ち、同一の居住空間内に本体７と吸気口９、１１を設置し、居住空間内のある部分から吸気、ある部分から吹出しても良い。冷暖ダクト５５、６１、６３から居室への吹出しについても同様である。
【０２６８】
また、上記実施の形態では、第一熱交換器３４の下方に水受皿３８とドレンポンプ４０を、第二熱交換器３６の下方に水受皿３９とドレンポンプ４１を設けた構成を示したが、水受皿は熱交換器から排出されるドレン水を受けることができるものであれば良く、設置位置および数はこれに限定されるものではない。例えば第一熱交換器３４と第二熱交換器３６の水受皿を１箇所とし、それに伴いドレンポンプも１箇所とする構成としても良い。
【０２６９】
また、上記実施の形態では、圧縮機３３の駆動方式について言及していないが圧縮機３３の駆動方式は駆動周波数一定のものを使用しても駆動周波数可変のものを使用してもよい。
【０２７０】
また、上記実施の形態では、冷媒回路３２にバイパス回路４２およびバイパス回路４３の２系統のバイパス回路を設ける構成を示したが、バイパス回路は１系統のみとしても良い。
【０２７１】
また、上記実施の形態では、冷媒加熱手段４６を第二熱交換器３６と並列状態に設ける構成を示したが、冷媒回路３２内において第二熱交換器３６と直列状態に介在させる構成としても良い。
【０２７２】
また、上記実施の形態では、開閉弁４４および開閉弁４５を開放と閉鎖の２段階で切り換える構成を示したが、開閉弁はバイパス回路の開閉を実現できるものであれば良く電子式膨張弁などを使用しても良い。
【０２７３】
また、上記実施の形態では、減圧手段４９として開閉弁４７とキャピラリチューブ４８を並列に設ける構成を示したが、減圧手段４９は、減圧作用を切り換え可能なものであれば良く、電子式膨張弁を介在される構成としても良い。
【０２７４】
また、上記実施の形態では、冷媒加熱手段４６の具体構成として冷媒加熱ヒーター６７と冷媒−水熱交換器７４の２種類の構成を示したが、冷媒加熱手段４６は冷媒を加熱できるものであれば良いのであって、上記２種類に限定されるものではない。
【０２７５】
また、上記実施の形態では、冷媒−水熱交換器７４の水側の配管にヒートポンプ給湯機７５からの給湯水を供給する構成を示したが、冷媒−水熱交換器７４の水側配管には高温の温水（例えば、４０℃〜９０℃）、あるいは常温の給水（例えば、１℃〜４０℃）を供給するものであれば良く、ヒートポンプ給湯機に限定されるものではない。例えば、ガス給湯機、電気温水器、石油給湯機の給湯、給水および循環水もしくは市水を供給する構成や浴槽の湯を循環させるような構成としても良い。
【産業上の利用可能性】
【０２７６】
以上のように本発明にかかる換気空調装置は、省スペース化と施工性の向上を図ることができ、また、空調空気の漏洩を低減して熱効率を向上することができるものであり、浴室の換気空調のみならず、リビング、寝室、キッチン、洗面所あるいは床下や天井裏等の換気空調装置にも適用することができる。
【図面の簡単な説明】
【０２７７】
【図１】本発明の実施の形態１に係る換気空調装置が設置されている居住空間の見取り図
【図２】同換気空調装置の風路構成図及び冷媒回路図
【図３】本発明の実施の形態２に係る換気空調装置の風路構成図及び冷媒回路図
【図４】本発明の実施の形態３に係る換気空調装置の風路構成図及び冷媒回路図
【図５】本発明の実施の形態４に係る換気空調装置の風路構成図及び冷媒回路図
【図６】同換気空調装置の冷媒加熱手段に採用できる冷媒加熱ヒーターの概略構成図
【図７】同換気空調装置の冷媒加熱手段に採用できる冷媒−水熱交換器の概略断面図
【図８】本発明の実施の形態５に係る同換気空調装置の設置概略図
【符号の説明】
【０２７８】
１    居住空間Ａ
２    居住空間Ｂ
３    リビング
４    浴室
５    脱衣室
６    トイレ
７    本体
８    排気ダクト
９    吸気口
１０  排気ダクト
１１  吸気口
１２  排気ダクト
１３  換気ファン
１４  吸気口
１５  空調機
１６  ドア
１７  ドア
１８  吸込口
１９  吹出口
２０  フィルター
２１  温湿度検出装置
２２  循環通路
２３  循環ファン
２４  補助ヒーター
２５  換気通路
２６  開閉装置
２７  開閉装置
２８  開閉装置
２９  開閉装置
３０  通路切換機構
３１  除湿通路
３２  冷媒回路
３３  圧縮機
３４  第一熱交換器
３５  膨張機構
３６  第二熱交換器
３７  流路切換弁
３８  水受皿
３９  水受皿
４０  ドレンポンプ
４１  ドレンポンプ
４２  バイパス回路
４３  バイパス回路
４４  開閉弁
４５  開閉弁
４６  冷媒加熱手段
４７  開閉弁
４８  キャピラリーチューブ
４９  減圧手段
５０  予熱ヒーター
５１  吹出口
５２  除湿通路
５３  除湿ファン
５４  開閉装置
５５  冷暖ダクト
５６  通路切換機構
５７  吹出口
５８  除湿通路
５９  開閉装置
６０  開閉装置
６１  冷暖ダクト
６２  通路切換機構
６３  冷暖ダクト
６４  冷暖通路
６５  冷暖ファン
６６  開閉装置
６７  冷媒加熱ヒーター
７４  冷媒−水熱交換器
８５  床下空間
８６  天井裏空間
８７  吸気口
８８  吹出口
８９  通路切換機構
９０  フィルター
９１  フィルター
９２  温湿度検知手段
９３  温湿度検知手段
【図１】
2008145094.tif 000003
【図２】
2008145094.tif 000004
【図３】
2008145094.tif 000005
【図４】
2008145094.tif 000006
【図５】
2008145094.tif 000007
【図６】
2008145094.tif 000008
【図７】
2008145094.tif 000009
【図８】
2008145094.tif 000010